(57)【要約】本発明は、基地局と移動局とを備えた移動体無線通信システムに関し、処理遅延の増大や装置の複雑化を伴うことなく、移動局における消費電力を低減し得る通信システムを得ることを目的とする。そして、上記目的を達成するために、基地局（１）は、ＨＳ−ＳＣＣＨ受信チャネル数制御情報を、ＲＲＣ層処理ブロック（９０１）による処理を経由することなく、ＨＳ−ＰＤＳＣＨを介して、移動局（２）に送信する。移動局（２）は、基地局（１）から受信したＨＳ−ＳＣＣＨ受信チャネル数制御情報に基づいて、ＲＲＣ層処理部ブロック（１０１）による処理を経由することなく、ＨＳ−ＳＣＣＨ受信チャネル数の設定を変更する。
2005002269.tif 000002
【特許請求の範囲】
【請求項１】
第１の物理層処理部（９０４）、第１のＭＡＣ層処理部（９０３ａ，９０３ｂ）、第１のＲＬＣ層処理部（９０２）、及び第１のＲＲＣ層処理部（９０１）を有する送信局（１）と、
第２の物理層処理部（１０４）、第２のＭＡＣ層処理部（１０３ａ，１０３ｂ）、第２のＲＬＣ層処理部（１０２）、及び第２のＲＲＣ層処理部（１０１）を有する受信局（２）と、
前記送信局（１）と前記受信局（２）とを繋ぐ、ＨＳ−ＳＣＣＨ及びＨＳ−ＰＤＳＣＨと
を備え、
前記送信局（１）は、前記受信局（２）を制御するための制御情報を、前記第１のＲＲＣ層処理部（９０１）による処理を経由することなく、前記ＨＳ−ＰＤＳＣＨを介して、前記受信局（２）に送信し、
前記受信局（２）は、前記送信局（１）から受信した前記制御情報に基づいて、前記第２のＲＲＣ層処理部（１０１）による処理を経由することなく、所定の処理を実行する、通信システム。
【請求項２】
前記制御情報は、ＨＳ−ＳＣＣＨ受信チャネル数制御情報であり、
前記所定の処理は、ＨＳ−ＳＣＣＨ受信チャネル数の変更処理である、請求の範囲１に記載の通信システム。
【請求項３】
前記第１の物理層処理部（９０４）よりも上位のプロトコル層から前記第１の物理層処理部（９０４）に送られてきた上位層データは、前記ＨＳ−ＰＤＳＣＨを介して、前記受信局（２）に送信され、
前記制御情報は、前記上位層データが送信されるタイミングとは異なるタイミングで、前記受信局（２）に送信される、請求の範囲１に記載の通信システム。
【請求項４】
前記第１の物理層処理部（９０４）よりも上位のプロトコル層から前記第１の物理層処理部（９０４）に送られてきた上位層データは、前記ＨＳ−ＰＤＳＣＨを介して、前記受信局（２）に送信され、
前記制御情報は、前記上位層データに多重されて、前記上位層データが送信されるタイミングと同じタイミングで、前記受信局（２）に送信される、請求の範囲１に記載の通信システム。
【請求項５】
前記制御情報は、第１のＨＳ−ＰＤＳＣＨを介して送信され、
前記上位層データは、前記第１のＨＳ−ＰＤＳＣＨとは異なる第２のＨＳ−ＰＤＳＣＨを介して送信される、請求の範囲４に記載の通信システム。
【請求項６】
前記送信局（１）から前記制御情報が送信されていることを示す通知情報が、前記送信局（１）から前記ＨＳ−ＳＣＣＨを介して前記受信局（２）に送信され、
前記第１のＨＳ−ＰＤＳＣＨは、前記通知情報によって明示的に特定される、請求の範囲５に記載の通信システム。
【請求項７】
前記第２のＨＳ−ＰＤＳＣＨに連続しているＨＳ−ＰＤＳＣＨが、前記第１のＨＳ−ＰＤＳＣＨとして割り当てられる、請求の範囲５に記載の通信システム。
【請求項８】
前記制御情報と前記上位層データとは、同一の前記ＨＳ−ＰＤＳＣＨを介して送信される、請求の範囲４に記載の通信システム。
【請求項９】
前記第１の物理層処理部（９０４）よりも上位のプロトコル層から前記第１の物理層処理部（９０４）に送られてきた上位層データは、前記ＨＳ−ＰＤＳＣＨを介して、前記受信局（２）に送信され、
前記送信局（１）から前記ＨＳ−ＰＤＳＣＨを介してデータが送信されていることを示す情報が、前記送信局（１）から前記ＨＳ−ＳＣＣＨを介して前記受信局（２）に送信され、
前記情報は、前記データの送信のために使用されている前記ＨＳ−ＰＤＳＣＨを示すための部分を有しており、
前記送信局（１）が前記受信局（２）に前記制御情報を送信する場合には、前記データが前記上位層データであるときに前記部分に記述される内容とは異なる内容が前記部分に記述されることにより、前記制御情報が送信されていることが前記受信局（２）に通知される、請求の範囲１に記載の通信システム。
【請求項１０】
前記第１の物理層処理部（９０４）よりも上位のプロトコル層から前記第１の物理層処理部（９０４）に送られてきた上位層データは、前記ＨＳ−ＰＤＳＣＨを介して、前記受信局（２）に送信され、
前記送信局（１）から前記ＨＳ−ＰＤＳＣＨを介してデータが送信されていることを示す情報が、前記送信局（１）から前記ＨＳ−ＳＣＣＨを介して前記受信局（２）に送信され、
前記情報は、前記データのデータサイズを示すための部分を有しており、
前記制御情報のデータサイズは、固定値であって、予め前記受信局（２）に通知されており、
前記送信局（１）が前記受信局（２）に前記制御情報を送信する場合には、前記データが前記上位層データであるときに前記部分に記述される内容とは異なる内容が前記部分に記述されることにより、前記制御情報が送信されていることが前記受信局（２）に通知される、請求の範囲１に記載の通信システム。
【請求項１１】
物理層処理部（９０４）、ＭＡＣ層処理部（９０３ａ，９０３ｂ）、ＲＬＣ層処理部（９０２）、及びＲＲＣ層処理部（９０１）を備え、
受信局を制御するための制御情報を、前記ＲＲＣ層処理部（９０１）による処理を経由することなく、所定のチャネルを介して、前記受信局（２）に送信する、送信局。
【請求項１２】
物理層処理部（１０４）、ＭＡＣ層処理部（１０３ａ，１０３ｂ）、ＲＬＣ層処理部（１０２）、及びＲＲＣ層処理部（１０１）を備え、
送信局（１）から所定のチャネルを介して受信した制御情報に基づいて、前記ＲＲＣ層処理部（１０１）による処理を経由することなく、所定の処理を実行する、受信局。
【発明の詳細な説明】
【技術分野】  本発明は、送信局（基地局）、受信局（移動局）、及び、基地局と移動局とを備えた通信システム（特に移動体無線通信システム）に関する。
【背景技術】  携帯電話に代表される移動体無線通信方式として、第三世代と呼ばれる通信規格が、ＩＴＵ（国際電気通信連合）においてＩＭＴ−２０００として採用されている。日本国では、Ｗ−ＣＤＭＡ（ＦＤＤ）（Ｗｉｄｅｂａｎｄ−Ｃｏｄｅ  Ｄｉｖｉｓｉｏｎ  Ｍｕｌｔｉｐｌｅ  Ａｃｃｅｓｓ：Ｆｒｅｑｕｅｎｃｙ  Ｄｉｖｉｓｉｏｎ  Ｄｕｐｌｅｘ）方式が、２００１年から商用サービスが開始されている。Ｗ−ＣＤＭＡ（ＦＤＤ）方式は、各移動局において２Ｍｂｐｓ（Ｍｅｇａ  ｂｉｔ  ｐｅｒ  ｓｅｃｏｎｄ）程度の通信速度が得られることを目的としており、規格化団体３ＧＰＰ（３ｒｄ  Ｇｅｎｅｒａｔｏｎ  Ｐａｒｔｎｅｒｓｈｉｐ  Ｐｒｏｊｅｃｔ）によって、１９９９年にまとめられた規格のバージョンであるリリース１９９９（又はバージョン３．ｘ．ｘ）版として最初の仕様が決定されている。
一方、近年におけるインターネットの普及等に起因して、基地局から移動局への下りリンクのパケットデータ伝送速度をさらに高速化することが要望されている。これを実現するために、リリース１９９９対応の下りチャネルの他に、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）対応の下りチャネルを新たに追加することが検討され、３ＧＰＰ規格の新たなバージョンであるリリース５（又はバージョン５．ｘ．ｘ）版として、リリース１９９９と互換性（バックワードコンパチビリティ）を確保しながら追加規定されている。
リリース５における物理層の各種チャネルのフォーマット及び送受信タイミングについては、規格書ＴＳ２５．２１１（下記非特許文献１）の５．２章（Ｕｐｌｉｎｋ  ｐｈｙｓｉｃａｌ  ｃｈａｎｎｅｌｓ）、５．３章（Ｄｏｗｎｌｉｎｋ  ｐｈｙｓｉｃａｌ  ｃｈａｎｎｅｌｓ）、６．２章（Ａｓｓｏｃｉａｔｉｏｎ  ｏｆ  ｐｈｙｓｉｃａｌ  ｃｈａｎｎｅｌｓ  ａｎｄ  ｐｈｙｓｉｃａｌ  ｓｉｇｎａｌｓ）、及び７章（Ｔｉｍｉｎｇ  ｒｅｌａｔｉｏｎｓｈｉｐ  ｂｅｔｗｅｅｎ  ｐｈｙｓｉｃａｌ  ｃｈａｎｎｅｌｓ）に記述されている。
【非特許文献１】        ３ｒｄ  Ｇｅｎｅｒａｔｉｏｎ  Ｐａｒｔｎｅｒｓｈｉｐ  Ｐｒｏｊｅｃｔ、
”３ＧＰＰ  ＴＳ  ２５．２１１  Ｖ５．３．０（２００２−１２）
Ｔｅｃｈｎｉｃａｌ  Ｓｐｅｃｉｆｉｃａｔｉｏｎ
３ｒｄ  Ｇｅｎｅｒａｔｉｏｎ  Ｐａｒｔｎｅｒｓｈｉｐ  Ｐｒｏｊｅｃｔ；
Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；
Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ
ｏｎｔｏ  ｐｈｙｓｉｃａｌ  ｃｈａｎｎｅｌｓ（ＦＤＤ）
（Ｒｅｌｅａｓｅ  ５）”、
５．２章、５．３章、６．２章、及び７章、
［ｏｎｌｉｎｅ］、
２００３年１月７日、
［２００３年１月１５日検索］、
インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／２５＿ｓｅｒｉｅｓ／２５．２１１／＞
リリース５におけるトランスポート層からのデータに対する物理層における処理（符号化、多重化等）の流れについては、規格書ＴＳ２５．２１２（下記非特許文献２）の４．５章（Ｃｏｄｉｎｇ  ｆｏｒ  ＨＳ−ＤＳＣＨ）、及び４．６章（Ｃｏｄｉｎｇ  ｆｏｒ  ＨＳ−ＳＣＣＨ）に記述されている。
【非特許文献２】        ３ｒｄ  Ｇｅｎｅｒａｔｉｏｎ  Ｐａｒｔｎｅｒｓｈｉｐ  Ｐｒｏｊｅｃｔ、
”３ＧＰＰ  ＴＳ  ２５．２１２  Ｖ５．３．０（２００２−１２）
Ｔｅｃｈｎｉｃａｌ  Ｓｐｅｃｉｆｉｃａｔｉｏｎ
３ｒｄ  Ｇｅｎｅｒａｔｉｏｎ  Ｐａｒｔｎｅｒｓｈｉｐ  Ｐｒｏｊｅｃｔ；
Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；
Ｍｕｌｔｉｐｌｅｘｉｎｇ  ａｎｄ  ｃｈａｎｎｅｌ  ｃｏｄｉｎｇ（ＦＤＤ）
（Ｒｅｌｅａｓｅ  ５）”、
４．５章及び４．６章、
［ｏｎｌｉｎｅ］、
２００３年１月７日、
［２００３年１月１５日検索］、
インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／２５＿ｓｅｒｉｅｓ／２５．２１２／＞
リリース５におけるチャネル多重化方法については、規格書ＴＳ２５．２１３（下記非特許文献３）の４章（Ｕｐｌｉｎｋ  ｓｐｒｅａｄｉｎｇ  ａｎｄ  ｍｏｄｕｌａｔｉｏｎ）、及び５章（Ｄｏｗｎｌｉｎｋ  ｓｐｒｅａｄｉｎｇ  ａｎｄ  ｍｏｄｕｌａｔｉｏｎ）によって、詳細に規定されている。
【非特許文献３】        ３ｒｄ  Ｇｅｎｅｒａｔｉｏｎ  Ｐａｒｔｎｅｒｓｈｉｐ  Ｐｒｏｊｅｃｔ、
”３ＧＰＰ  ＴＳ  ２５．２１３  Ｖ５．２．０（２００２−０９）
Ｔｅｃｈｎｉｃａｌ  Ｓｐｅｃｉｆｉｃａｔｉｏｎ
３ｒｄ  Ｇｅｎｅｒａｔｉｏｎ  Ｐａｒｔｎｅｒｓｈｉｐ  Ｐｒｏｊｅｃｔ；
Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；
Ｓｐｒｅａｄｉｎｇ  ａｎｄ  ｍｏｄｕｌａｔｉｏｎ（ＦＤＤ）
（Ｒｅｌｅａｓｅ  ５）”、
４章及び５章、
［ｏｎｌｉｎｅ］、
２００２年９月２６日、
［２００３年１月１５日検索］、
インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／２５＿ｓｅｒｉｅｓ／２５．２１３／＞
リリース１９９９における物理層の各種チャネルは、リリース５に包含される形で記述されている。
リリース１９９９対応として移動局に個別に割り当てられる物理層チャネルとしては、ＤＰＣＣＨ（Ｄｅｄｉｃａｔｅｄ  Ｐｈｙｓｉｃａｌ  Ｃｏｎｔｒｏｌ  ＣＨａｎｎｅｌ）及びＤＰＤＣＨ（Ｄｅｄｉｃａｔｅｄ  Ｐｈｙｓｉｃａｌ  Ｄａｔａ  ＣＨａｎｎｅｌ）がある。ＤＰＣＣＨは、物理層内における各種制御情報（同期用パイロット信号、送信電力制御信号等）が伝送されるチャネルである。ＤＰＤＣＨは、物理層の上のプロトコル層であるＭＡＣ層から物理層に送られてきたデータ（上位層データ）が伝送されるチャネルである。なお、ＭＡＣ層から物理層へ上位層データを送るときに使用されるチャネルは、トランスポートチャネルと呼ばれている。
ＨＳＤＰＡ用にリリース５で追加された下りリンク用の物理層チャネルとしては、共有チャネルであるＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  ＣＨａｎｎｅｌ）とＨＳ−ＳＣＣＨ（Ｈｉｇｈ  Ｓｐｅｅｄ−Ｓｈａｒｅｄ  Ｃｏｎｔｒｏｌ  ＣＨａｎｎｅｌ）とがある。ＨＳ−ＰＤＳＣＨは、リリース１９９９対応のＤＰＤＣＨと同様に、ＭＡＣ層から物理層に送られてきた上位層データが伝送されるチャネルである。ＨＳ−ＳＣＣＨは、基地局からＨＳ−ＰＤＳＣＨを介して移動局に上位層データを送信する時に、各種の制御情報（送信データの変調方式、パケットデータサイズ等）が伝送されるチャネルである。
ＨＳ−ＰＤＳＣＨの拡散率は１６（固定値）であり、一度の送信時に複数の拡散符号（即ち複数のチャネル）を１つの移動局に対して割り当てることができる。拡散符号の割り当て制御（いわゆるスケジューリング）は、基地局によって行われる。
ＨＳ−ＳＣＣＨの拡散率は２５６（固定値）である。ＨＳ−ＳＣＣＨは３つの領域（ｐａｒｔ１，ｐａｒｔ２，ＣＲＣ）に分かれている。ｐａｒｔ１領域には、ＨＳ−ＰＤＳＣＨ符号情報（Ｃｈａｎｎｅｌｉｚａｔｉｏｎ−ｃｏｄｅ−ｓｅｔ  ｉｎｆｏｒｍａｔｉｏｎ）、及びＨＳ−ＰＤＳＣＨ変調方式（Ｍｏｄｕｌａｔｉｏｎ  ｓｃｈｅｍｅ  ｉｎｆｏｒｍａｔｉｏｎ）が含まれる。ｐａｒｔ２領域には、一度に送信するパケットの総データサイズ（Ｔｒａｎｓｐｏｒｔ−ｂｌｏｃｋ  ｓｉｚｅ  ｉｎｆｏｒｍａｔｉｏｎ）、再送方式情報（Ｈｙｂｒｉｄ−ＡＲＱ  ｐｒｏｃｅｓｓ  ｉｎｆｏｒｍａｔｉｏｎ）、及び新規データ判別表示（Ｎｅｗ  ｄａｔａ  ｉｎｄｉｃａｔｏｒ）が含まれる（規格書ＴＳ２５．２１２の４．６章参照）。
ＨＳＤＰＡ用に追加された上りリンク用の物理層チャネルとしては、ＨＳ−ＤＰＣＣＨ（Ｈｉｇｈ  Ｓｐｅｅｄ−Ｄｅｄｉｃａｔｅｄ  Ｐｈｙｉｓｉｃａｌ  Ｃｏｎｔｒｏｌ  ＣＨａｎｎｅｌ）がある。ＨＳ−ＤＰＣＣＨは、基地局から受信したデータに対する応答（ＡＣＫ／ＮＡＣＫ）等が伝送されるチャネルである。基地局から移動局へのデータ送信は、ＨＳ−ＳＣＣＨとＨＳ−ＰＤＳＣＨとをペアにして行われる。移動局は、基地局から送信されてきたＨＳ−ＳＣＣＨ及びＨＳ−ＰＤＳＣＨに関して、データに誤りがあるか否かを判定する。そして、その判定の結果（ＡＣＫ／ＮＡＣＫ）を、ＨＳ−ＤＰＣＣＨを介して基地局に送信する。
規格書ＴＳ２５．３０８（下記非特許文献４）の５．２．２．１章（ＦＤＤ  Ｄｏｗｎｌｉｎｋ  Ｐｈｙｓｉｃａｌ  ｌａｙｅｒ  Ｍｏｄｅｌ）には、各移動局が同時に受信可能なＨＳ−ＳＣＣＨのチャネル数は最大４であることが記載されている。実際に各移動局に割り当てられるチャネル数（≦４）は、基地局と移動局との間にＨＳＤＰＡチャネルを確立する際に予め設定される。あるいは、基地局と移動局との通信中に、基地局から移動局にチャネル数の変更が通知される。但し、一回のデータ送信タイミングで送信に使用されるＨＳ−ＳＣＣＨのチャネル数は１つである。
【非特許文献４】          ３ｒｄ  Ｇｅｎｅｒａｔｉｏｎ  Ｐａｒｔｎｅｒｓｈｉｐ  Ｐｒｏｊｅｃｔ、
”３ＧＰＰ  ＴＳ  ２５．３０８  Ｖ５．３．０（２００２−１２）
Ｔｅｃｈｎｉｃａｌ  Ｓｐｅｃｉｆｉｃａｔｉｏｎ
３ｒｄ  Ｇｅｎｅｒａｔｉｏｎ  Ｐａｒｔｎｅｒｓｈｉｐ  Ｐｒｏｊｅｃｔ；
Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；
Ｈｉｇｈ  Ｓｐｅｅｄ  Ｄｏｗｎｌｉｎｋ  Ｐａｃｋｅｔ  Ａｃｃｅｓｓ（ＨＳＤＰＡ）；
Ｏｖｅｒａｌｌ  ｄｅｓｃｒｉｐｔｉｏｎ；  Ｓｔａｇｅ  ２
（Ｒｅｌｅａｓｅ  ５）”、
５．２．２．１章、
［ｏｎｌｉｎｅ］、
２００３年１月１４日、
［２００３年１月１５日検索］、
インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／２５＿ｓｅｒｉｅｓ／２５．３０８／＞
また、規格書ＴＳ２５．２１４（下記非特許文献５）の６Ａ．１．１章（ＵＥ  ｐｒｏｃｅｄｕｒｅ  ｆｏｒ  ｒｅｃｅｉｖｉｎｇ  ＨＳ−ＤＳＣＨ）には、基地局が連続してパケットを送信する場合には、同じＨＳ−ＳＣＣＨを用いて送信すべきことが規定されている。
【非特許文献５】          ３ｒｄ  Ｇｅｎｅｒａｔｉｏｎ  Ｐａｒｔｎｅｒｓ  ｓｈｉｐ  Ｐｒｏｊｅｃｔ、
”３ＧＰＰ  ＴＳ  ２５．２１４  Ｖ５．３．０（２００２−１２）
Ｔｅｃｈｎｉｃａｌ  Ｓｐｅｃｉｆｉｃａｔｉｏｎ
３ｒｄ  Ｇｅｎｅｒａｔｉｏｎ  Ｐａｒｔｎｅｒｓｈｉｐ  Ｐｒｏｊｅｃｔ；
Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；
Ｐｈｙｓｉｃａｌ  ｌａｙｅｒ  ｐｒｏｃｅｄｕｒｅｓ（ＦＤＤ）
（Ｒｅｌｅａｓｅ  ５）”、
６Ａ．１．１章、
［ｏｎｌｉｎｅ］、
２００３年１月１４日、
［２００３年１月１５日検索］、
インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／２５＿ｓｅｒｉｅｓ／２５．３０８／＞
規格書ＴＳ２５．３０１（下記非特許文献６）の５．１章（Ｏｖｅｒａｌｌ  ｐｒｏｔｏｃｏｌ  ｓｔｒｕｃｔｕｒｅ）には、無線アクセス系（ＲＡＮ：Ｒａｄｉｏ  Ａｃｃｅｓｓ  Ｎｅｔｗｏｒｋ）におけるプロトコル層の関係が記載されている。第１層が物理層であり、第２層がＭＡＣ（Ｍｅｄｉａ  Ａｃｃｅｓｓ  Ｃｏｎｔｒｏｌ）層及びＲＬＣ（Ｒａｄｉｏ  ｌｉｎｋ  ｃｏｎｔｒｏｌ）層であり、第３層がＲＲＣ（Ｒａｄｉｏ  Ｒｅｓｏｕｒｃｅ  Ｃｏｎｔｒｏｌ）層である。
【非特許文献６】          ３ｒｄ  Ｇｅｎｅｒａｔｉｏｎ  Ｐａｒｔｎｅｒｓ  ｓｈｉｐ  Ｐｒｏｊｅｃｔ、
”３ＧＰＰ  ＴＳ  ２５．３０１  Ｖ５．２．０（２００２−０９）
Ｔｅｃｈｎｉｃａｌ  Ｓｐｅｃｉｆｉｃａｔｉｏｎ
３ｒｄ  Ｇｅｎｅｒａｔｉｏｎ  Ｐａｒｔｎｅｒｓｈｉｐ  Ｐｒｏｊｅｃｔ；
Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；
Ｒａｄｉｏ  Ｉｎｔｅｒｆａｃｅ  Ｐｒｏｔｏｃｏｌ  Ａｒｃｈｉｔｅｃｔｕｒｅ
（Ｒｅｌｅａｓｅ  ５）”、
５．１章、
［ｏｎｌｉｎｅ］、
２００２年９月１３日、
［２００３年１月１５日検索］、
インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／２５＿ｓｅｒｉｅｓ／２５．３０１／＞
基地局から移動局への各種制御情報（例えば、最大通信速度や拡散符号数等の無線資源の割り当て）の伝達は、基地局のＲＲＣ層と移動局のＲＲＣ層との間の情報伝達手段によって行なわれている。
例えば基地局のＭＡＣ層から移動局のＭＡＣ層への情報の伝達は、以下のようにして行われる。まず、基地局のＭＡＣ層から基地局のＲＲＣ層へ情報が送られ、次に、その情報は、基地局のＲＲＣ層から移動局のＲＲＣ層へデータとして送信された後、移動局のＲＲＣ層から移動局のＭＡＣ層へ送られる。
規格書ＴＳ２５．３０１のＦｉｇ．２を参照すると、基地局のＭＡＣ層から移動局のＭＡＣ層への情報は、制御情報として基地局のＭＡＣ層から基地局のＲＲＣ層へ送られ、データとして基地局のＲＲＣ層から基地局のＲＬＣ層へ送られ、データとして基地局のＲＬＣ層から基地局のＭＡＣ層へ送られ、データとして基地局のＭＡＣ層から基地局の物理層へ送られ、データとして基地局の物理層から移動局の物理層へ送信される。移動局は、基地局と逆の処理を行う。即ち、基地局から受信した情報は、データとして物理層からＭＡＣ層へ送られ、データとしてＭＡＣ層からＲＲＣ層へ送られ、制御情報としてＲＲＣ層からＭＡＣ層へ送られる。ここで、基地局及び移動局の各ＲＲＣ層における処理は、送受信のための手段（入れ物）を単に提供するだけであり、情報の加工等の処理が各ＲＲＣ層によって行われるわけではない。
また、基地局のＭＡＣ層によって移動局の物理層の状態を制御する場合にも、上記と同様に、基地局のＭＡＣ層からの制御情報は、基地局及び移動局の各ＲＲＣ層間のデータ送受信手段としての処理を経由して、移動局のＭＡＣ層まで送られる。その後、移動局のＭＡＣ層へ送られたデータは物理層制御信号として移動局の物理層へ送られ、移動局の物理層は、その物理層制御信号に基づいて状態の設定を変更する。
さらに、基地局のＲＲＣ層によって移動局の物理層の状態を制御する場合には、基地局のＲＲＣ層で発生した制御情報は、データとして基地局のＭＡＣ層へ入力され、基地局のＭＡＣ層から移動局のＲＲＣ層へ送られ、物理層制御情報として移動局のＲＲＣ層から移動局の物理層へ送られる。その後、移動局の物理層は、その物理層制御信号に基づいて状態を設定する。
基地局によって移動局を制御するための制御情報としては、ＨＳＤＰＡに関するものとしては、規格書ＴＳ２５．２１４の６Ａ．１章（Ｇｅｎｅｒａｌ  ｐｒｏｃｅｄｕｒｅ）に記載されている、１）全ＨＳ−ＳＣＣＨ受信チャネル設定（ＨＳ−ＳＣＣＨ  ｓｅｔ  ｔｏ  ｂｅ  ｍｏｎｉｔｏｒｅｄ）、２）移動局から基地局へ送信される応答（ＡＣＫ／ＮＡＣＫ）の繰り返し数（Ｒｅｐｅｔｉｔｉｏｎ  ｆａｃｔｏｒ  ｏｆ  ＡＣＫ／ＮＡＣＫ；Ｎ＿ａｃｋｎａｃｋ＿ｔｒａｎｓｍｉｔ）、３）移動局から基地局へ送信される下り伝搬環境指標（Ｃｈａｎｎｅｌ  Ｑｕａｌｉｔｙ  Ｉｎｄｉｃａｔｏｒ（ＣＱＩ）；ｆｅｅｄｂａｃｋ  ｃｙｃｌｅ  ｋ）、４）ＣＱＩ繰り返し数（Ｎ＿ｃｑｉ＿ｔｒａｎｓｍｉｔ）、５）移動局でのＣＱＩ導出に使用される電力オフセット量（Ｍｅａｓｕｒｅｍｅｎｔ  ｐｏｗｅｒ  ｏｆｆｓｅｔ）や、同規格書の５．１．２．５Ａ章（Ｓｅｔｔｉｎｇ  ｏｆ  ｔｈｅ  ｕｐｌｉｎｋ  ＤＰＣＣＨ／ＨＳ−ＤＰＣＣＨ  ｐｏｗｅｒ  ｄｉｆｆｅｒｅｎｃｅ）に記載されている、送信時におけるＨＳ−ＤＰＣＣＨ電力オフセット量（ΔＨＳ−ＤＰＣＣＨ）等が挙げられる。
以下、全ＨＳ−ＳＣＣＨ受信チャネル設定を例にとり、従来技術の問題点を説明する。
ＨＳＤＰＡではパケット化されたデータを基地局と移動局との間で送受信するが、インターネットのウェブプラウジング等における利用状況を考えた場合、実際にパケットの送受信が行われている時間よりも、パケットの送受信が行われていない時間（例えば１つの表示画面に対応する一塊のパケットデータが送られてきた後にユーザが画面を閲覧している時間を含む）のほうがはるかに長い。
基地局から移動局にパケットデータが連続して送信されている間は、移動局が受信可能な状態に設定しなければならないＨＳ−ＳＣＣＨは１つで足りる。しかしながら、ひとたび下りリンクでパケット送信が途切れると、次のパケットが送信されるか、及びどのＨＳ−ＳＣＣＨが使用されるかは、規格では規定されておらず、基地局の自由な選択となっている。このため、基地局からのパケット送信が途切れると、移動局は、予め設定されている複数のＨＳ−ＳＣＣＨの全てを受信可能な状態に設定しなくてはならない。このように、従来の通信システムによると、パケットデータが送受信されていない状態において、移動局の受信能力を増やす必要があり、消費電力が大きいという問題があった。
また、１つの移動局に割り当てられるＨＳ−ＳＣＣＨ受信チャネル数は、基地局のＭＡＣ層によって制御可能である。従って、規格に従い基地局及び移動局の各ＲＲＣ層における処理を経由したデータ伝送手段によって、基地局から移動局に受信チャネル数の制御情報を通知することにより、移動局にＨＳ−ＳＣＣＨ受信チャネル数を変更させることは可能である。しかしながら、ＲＲＣ層における処理には比較的長時間（１００ｍｓ程度）を要する。しかも、基地局及び移動局の双方でＲＲＣ層における処理を経由しなければならないため、実際には２倍の処理時間がかかって、処理遅延が大きくなるという問題があった。一方、処理遅延を低減するためにＲＲＣ層の処理能力を増大したのでは、それに伴って、基地局及び移動局において装置の複雑化や回路規模の増大を招くという問題点があった。
同様に、ＨＳ−ＤＰＣＣＨ電力オフセット量（ΔＨＳ−ＤＰＣＣＨ）に関しては、伝播環境に応じて最適なオフセット量への素早い変更ができないため、余分な電力で送信することによって、干渉を増加させて伝送容量やスループットが減少したり、逆に、不足した電力で送信することによって、ＡＣＫ／ＮＡＣＫが基地局へ届かずにデータの再送回数が増加するという問題があった。
このように、基地局のＭＡＣ層より上位のプロトコル層から送られる各種移動局制御情報を送信する際に、基地局又は移動局のＲＲＣ層処理を介することによって制御遅延が大きくなり、その結果、移動局制御の最適化、スループットの向上、消費電力の低減等が妨げられるという問題があった。
【発明の開示】
本発明は、上記のような問題点を解決し、処理遅延の増大や装置の複雑化を伴うことなく、移動局に対する制御の遅延を低減し得る、通信システム、送信局、及び受信局を得ることを目的とする。
本発明に係る通信システムは、第１の物理層処理部、第１のＭＡＣ層処理部、第１のＲＬＣ層処理部、及び第１のＲＲＣ層処理部を有する送信局と、第２の物理層処理部、第２のＭＡＣ層処理部、第２のＲＬＣ層処理部、及び第２のＲＲＣ層処理部を有する受信局と、送信局と受信局とを繋ぐ、ＨＳ−ＳＣＣＨ及びＨＳ−ＰＤＳＣＨとを備え、送信局は、受信局を制御するための制御情報を、第１のＲＲＣ層処理部による処理を経由することなく、ＨＳ−ＰＤＳＣＨを介して、受信局に送信し、受信局は、送信局から受信した制御情報に基づいて、第２のＲＲＣ層処理部による処理を経由することなく、所定の処理を実行する。
よって、処理遅延の増大や装置の複雑化を伴うことなく、受信局に対する制御の遅延を低減することが可能である。
本発明に係る送信局は、物理層処理部、ＭＡＣ層処理部、ＲＬＣ層処理部、及びＲＲＣ層処理部を備え、受信局を制御するための制御情報を、ＲＲＣ層処理部による処理を経由することなく、所定のチャネルを介して、受信局に送信する。
よって、処理遅延の増大や装置の複雑化を伴うことなく、受信局に対する制御の遅延を低減することが可能である。
本発明に係る受信局は、物理層処理部、ＭＡＣ層処理部、ＲＬＣ層処理部、及びＲＲＣ層処理部を備え、送信局から所定のチャネルを介して受信した制御情報に基づいて、ＲＲＣ層処理部による処理を経由することなく、所定の処理を実行する。
よって、処理遅延の増大や装置の複雑化を伴うことなく、受信局に対する制御の遅延を低減することが可能である。
この発明の目的、特徴、局面、および利点は、以下の詳細な説明と添付図面とによって、より明白となる。
【図面の簡単な説明】  図１は、本発明の実施の形態１に係る通信システムの全体構成を模式的に示す図である。
図２は、本発明の実施の形態１に係る通信システムに関し、ＨＳＤＰＡ対応チャネルの送信タイミングの一例を示すタイミングチャートである。
図３は、本発明の実施の形態１に係る通信システムに関し、ＨＳ−ＰＤＳＣＨ（ｆａｓｔ）のフォーマットの一例を示す図である。
図４は、本発明の実施の形態１に係る通信システムに関し、ＨＳ−ＳＣＣＨ受信チャネル数制御情報がＨＳ−ＰＤＳＣＨ（ｆａｓｔ）を用いて送信されていることを移動局に通知するための方法の一例を示す図である。
図５は、本発明の実施の形態１に係る通信システムに関し、ＨＳ−ＳＣＣＨ（通常）及びＨＳ−ＳＣＣＨ（ｆａｓｔ）の作成フローを示す図である。
図６は、本発明の実施の形態１に係る通信システムに関し、基地局の装置構成を示すブロック図である。
図７は、本発明の実施の形態１に係る通信システムに関し、ＭＡＣ−ｈｓ処理部が送信順序を決定するための処理フローの一例を示したフローチャートである。
図８は、本発明の実施の形態１に係る通信システムに関し、移動局の装置構成を示すブロック図である。
図９は、本発明の実施の形態１に係る通信システムに関し、ＨＳＤＰＡ物理層処理ブロック及びＭＡＣ−ｈｓ処理ブロックにおける処理フローの一例を示したフローチャートである。
図１０は、本発明の実施の形態２に係る通信システムに関し、ＨＳＤＰＡ対応チャネルの送信タイミングの一例を示すタイミングチャートである。
図１１は、本発明の実施の形態２に係る通信システムに関し、ＨＳＤＰＡ物理層処理ブロックによる、ＨＳ−ＰＤＳＣＨに対する処理フローの一例を示すフローチャートである。
図１２は、本発明の実施の形態２に係る通信システムに関し、ＭＡＣ−ｈｓ処理部が送信順序を決定するための処理フローの一例を示したフローチャートである。
図１３は、本発明の実施の形態２に係る通信システムに関し、ＨＳＤＰＡ物理層処理ブロック及びＭＡＣ−ｈｓ処理ブロックにおける処理フローの一例を示したフローチャートである。
図１４は、本発明の実施の形態２に係る通信システムに関し、ＨＳＤＰＡ物理層処理ブロック及びＭＡＣ−ｈｓ処理ブロックにおける処理フローの一例を示したフローチャートである。
図１５は、本発明の実施の形態３に係る通信システムに関し、ＨＳＤＰＡ対応チャネルの送信タイミングの一例を示すタイミングチャートである。
図１６は、本発明の実施の形態３に係る通信システムに関し、ＨＳＤＰＡ物理層処理ブロックによる、ＨＳ−ＰＤＳＣＨ（通常＋ｆａｓｔ）に対する処理フローの一例を示すフローチャートである。
図１７は、本発明の実施の形態４に係る通信システムに関し、ＨＳ−ＳＣＣＨ（通常）及びＨＳ−ＳＣＣＨ（ｆａｓｔ）の作成フローを示す図である。
【発明を実施するための最良の形態】  以下、基地局によって移動局を制御するための制御情報がＨＳ−ＳＣＣＨ受信チャネル数制御情報である場合を例にとり、本発明の実施の形態について説明する。
１．実施の形態１
以下、本発明の実施の形態１に係る通信システムについて説明する。以下の説明において使用される「チャネル」という用語は、通信経路を意味する場合と、通信されている情報やデータを意味する場合とが含まれる。
図１は、本発明の実施の形態１に係る通信システムの全体構成を模式的に示す図である。通信システムは、基地局１、移動局２、並びに、基地局１と移動局２とを繋ぐ下りリンク３，５及び上りリンク４，６を備えている。下りリンク３は、リリース１９９９対応の下りチャネル（ＤＰＣＣＨ及びＤＰＤＣＨ）である。上りリンク４は、リリース１９９９対応の上りチャネル（ＤＰＣＣＨ及びＤＰＤＣＨ）である。下りリンク５は、リリース５で追加されたＨＳＤＰＡ対応の下りチャネル（ＨＳ−ＳＣＣＨ及びＨＳ−ＰＤＳＣＨ）である。上りリンク６は、リリース５で追加されたＨＳＤＰＡ対応の上りチャネル（ＨＳ−ＤＰＣＣＨ）である。なお、リリース１９９９対応のチャネルのうち、基地局１と通信する複数の移動局２によって共通に使用されるチャネルの記述は省略している。
基地局１は、移動局２が受信可能な状態に設定しておくべきＨＳ−ＳＣＣＨの数を制御するための情報（ＨＳ−ＳＣＣＨ受信チャネル数制御情報）を、基地局１のＲＲＣ層による処理を経由することなく、ＨＳ−ＰＤＳＣＨを介して、移動局２に送信する。以下、本明細書では、この場合のＨＳ−ＰＤＳＣＨを「ＨＳ−ＰＤＳＣＨ（ｆａｓｔ）」と称する。基地局１からＨＳ−ＳＣＣＨ受信チャネル数制御情報が送信されていることを示す通知情報が、基地局１からＨＳ−ＳＣＣＨを介して移動局２に送信される。以下、本明細書では、この場合のＨＳ−ＳＣＣＨを「ＨＳ−ＳＣＣＨ（ｆａｓｔ）」と称する。
また、基地局１は、物理層よりも上位のプロトコル層から物理層に送られてきたデータ（上位層データ又は通常データ）を、ＨＳ−ＰＤＳＣＨを介して、移動局２に送信する。以下、本明細書では、この場合のＨＳ−ＰＤＳＣＨを「ＨＳ−ＰＤＳＣＨ（通常）」と称する。基地局１から上位層データが送信されていることを示す通知情報が、基地局１からＨＳ−ＳＣＣＨを介して移動局２に送信される。以下、本明細書では、この場合のＨＳ−ＳＣＣＨを「ＨＳ−ＳＣＣＨ（通常）」と称する。
ＨＳ−ＰＤＳＣＨ（通常）及びＨＳ−ＳＣＣＨ（通常）は、ペアとして、下りリンク５を介して移動局２へ無線送信される。同様に、ＨＳ−ＰＤＳＣＨ（ｆａｓｔ）及びＨＳ−ＳＣＣＨ（ｆａｓｔ）は、ペアとして、下りリンク５を介して移動局２へ無線送信される。
移動局２は、基地局１から受信したＨＳ−ＳＣＣＨがＨＳ−ＳＣＣＨ（通常）であるかＨＳ−ＳＣＣＨ（ｆａｓｔ）であるかを判別する。そして、ＨＳ−ＳＣＣＨ（通常）である場合は、従来と同様の受信処理によって、ＨＳ−ＰＤＳＣＨ（通常）を処理する。一方、ＨＳ−ＳＣＣＨ（ｆａｓｔ）である場合は、ＨＳ−ＰＤＳＣＨ（ｆａｓｔ）として受信処理して、ＨＳ−ＳＣＣＨ受信チャネル数の設定値を変更する。
また、移動局２は、基地局１から受信したＨＳ−ＰＤＳＣＨ（通常）又はＨＳ−ＰＤＳＣＨ（ｆａｓｔ）に関して、データに誤りがあるか否かを判定する。そして、その判定の結果に応じて、ＡＣＫ信号又はＮＡＣＫ信号を、上りリンク６（ＨＳ−ＤＰＣＣＨ）を介して基地局１に無線送信する。
図２は、図１に示した下りリンク５における、ＨＳＤＰＡ対応チャネルの送信タイミングの一例を示すタイミングチャートである。図２には、上位層データに対応するパケット（ＨＳ−ＰＤＳＣＨ（通常））と、ＨＳ−ＳＣＣＨ受信チャネル数制御情報に対応するパケット（ＨＳ−ＰＤＳＣＨ（ｆａｓｔ））とが、拡散符号を用いて多重され、基地局１から物理層共有チャネルであるＨＳ−ＰＤＳＣＨを介して移動局２に無線送信されている状況が示されている。本実施の形態１に係る通信システムでは、ＨＳ−ＳＣＣＨ受信チャネル数制御情報は、上位層データが送信されるタイミングとは異なるタイミングで送信される。
移動局２は、ＨＳ−ＰＤＳＣＨの１度の送信時に使用する拡散符号数（即ち多重数）及び変調方式を、ＨＳ−ＰＤＳＣＨを受信する前に予め分かっている必要がある。そのため、ＨＳ−ＳＣＣＨのｐａｒｔ１領域がＨＳ−ＰＤＳＣＨよりも先に復調されるように、ＨＳ−ＳＣＣＨがＨＳ−ＰＤＳＣＨよりも先行して基地局１から移動局２へ送信される。
図２に示した例では、ＨＳ−ＰＤＳＣＨ（通常）は、拡散符号を５つ用いて、同時に送信されている。一方、移動局２へのＨＳ−ＳＣＣＨ受信チャネル数制御情報の伝達に必要な送信ビット数は少なくてよいので、ＨＳ−ＰＤＳＣＨ（ｆａｓｔ）は、拡散符号を１つだけ用いて送信されている。また、図２において、ＨＳ−ＳＣＣＨ受信チャネル数制御情報（ＨＳ−ＰＤＳＣＨ（ｆａｓｔ））と、上位層データ（ＨＳ−ＰＤＳＣＨ（通常）１）とは、同一のＨＳ−ＰＤＳＣＨを介して送信されている。即ち、ＨＳ−ＰＤＳＣＨ（ｆａｓｔ）は、ＨＳ−ＰＤＳＣＨ（通常）を送信する際に使用された５つの拡散符号のうちの１つを用いて送信されている。
ＨＳ−ＳＣＣＨ受信チャネル数制御情報はビット数が少ないので、ＨＳ−ＰＤＳＣＨ（ｆａｓｔ）の拡散率（ＳＦ：Ｓｐｒｅａｄｉｎｇ  Ｆａｃｔｏｒ）を、ＨＳ−ＰＤＳＣＨ（通常）の拡散率よりも大きく設定できる。この場合のＨＳ−ＰＤＳＣＨ（ｆａｓｔ）のスロットフォーマットの一例を図３に示す。図３に示した例では、ＨＳ−ＰＤＳＣＨ（ｆａｓｔ）の拡散率は１２８である。なお、規格書ＴＳ２５．２１１のＴａｂｌｅ２６を参照すると、ＨＳ−ＰＤＳＣＨ（通常）の拡散率は１６である。ＨＳ−ＰＤＳＣＨ（ｆａｓｔ）は拡散率が大きいので、移動局２における受信に必要なＳ／Ｎ比であるＥｂ／Ｎｏを確保しやすい。従って、下りリンクの電波状況が同一の環境下においても、ＨＳ−ＰＤＳＣＨ（ｆａｓｔ）に関する送信パワーは、ＨＳ−ＰＤＳＣＨ（通常）に関する送信パワーよりも小さくて済む。よって、ＨＳ−ＰＤＳＣＨ（ｆａｓｔ）とＨＳ−ＰＤＳＣＨ（通常）とで、異なる送信パワーを設定することが可能である。送信パワーの設定の仕方としては、絶対値を用いた設定でもよく、又は、あるチャネルを基準としてオフセット値を用いた設定でもよい。
また、図２において、ＨＳ−ＰＤＳＣＨ（ｆａｓｔ）は、ＨＳ−ＰＤＳＣＨ（通常）と同様に、送信するデータを収納するための入れ物として使用されている。従って、説明の便宜上、図２では、ＨＳ−ＰＤＳＣＨ（通常）とＨＳ−ＰＤＳＣＨ（ｆａｓｔ）とに区別して表しているが、実際には同じチャネルであると考えてよい。
但し、ＨＳ−ＳＣＣＨ受信チャネル数制御情報は送信に必要なビット数が少ないので、図３に示したように、ＨＳ−ＰＤＳＣＨ（通常）よりも少ない送信ビット数（固定値）を追加的に規定しておく。ＨＳ−ＰＤＳＣＨ（ｆａｓｔ）の送信ビット数を固定値として設定し、その送信ビット数を予め移動局２に通知しておくことにより、ＨＳ−ＰＤＳＣＨ（ｆａｓｔ）の送信の度にその送信ビット数を移動局２に通知する必要がなくなる。その結果、基地局１及び移動局２の構成が複雑化することを回避できる。
図４は、ＨＳ−ＳＣＣＨ受信チャネル数制御情報がＨＳ−ＰＤＳＣＨ（ｆａｓｔ）を用いて送信されていることを移動局２に通知するための方法の一例を示す図である。
図４の（Ｂ）には、ＨＳ−ＨＣＣＨ（ｆａｓｔ）のフォーマットが示されている。図４の（Ｂ）の記載方法によると、ＨＳ−ＨＣＣＨ（ｆａｓｔ）のフォーマットは、規格書ＴＳ２５．２１１に記載されているＨＳ−ＳＣＣＨ（通常）のフォーマットとは異なっているように見えるが、後述する図５を参照することによって両者は内容的には同じであることが分かるので、ここでの詳細な説明は省略する。
図４の（Ｃ）には、ＨＳ−ＳＣＣＨ受信チャネル数制御情報がＨＳ−ＰＤＳＣＨ（ｆａｓｔ）を用いて送信されている状況が示されている。
図４の（Ａ）には、ＨＳ−ＳＣＣＨのｐａｒｔ１領域に記述されるＣＣＳ（Ｃｈａｎｎｅｌｉｚａｔｉｏｎ−Ｃｏｄｅ−Ｓｅｔ）情報に関する７ビットの組み合わせが示されている。ＣＣＳ情報は、ＨＳ−ＰＤＳＣＨの送信の際に使用する拡散符号に関する割り当て情報である。図４の（Ａ）の縦軸は前半３ビット分の組み合わせを表しており、横軸は後半４ビット分の組み合わせを表している。枠内の上段の数字は、一回の送信時に使用される拡散符号数を示している。枠内の下段の数字は、拡散符号を指定する際のオフセット位置（１〜１５）を示している。例えば、縦軸が３で横軸が４の場合は、一回の送信時に４つの拡散符号が用いられ、その拡散符号を指定する際のオフセットの先頭は５番目から始まることを示している。即ち、この場合は、拡散率１６の拡散符号のうち、５番から８番までの拡散符号が用いられることになる。
図４の（Ａ）から分かるように、上位層データの送信時には使用されないビットの組み合わせ（Ｒｅｄｕｎｄａｎｔ  Ａｒｅａ）が存在する。ＨＳ−ＳＣＣＨのＣＣＳ情報がＲｅｄｕｎｄａｎｔ  Ａｒｅａ内の組み合わせである場合、移動局２は、上位層データが送信されているのではなく、ＨＳ−ＳＣＣＨ受信チャネル数制御情報が送信されているものと判断して、対応する受信処理を行なう。但し、Ｒｅｄｕｎｄａｎｔ  Ａｒｅａに関しては拡散符号のオフセット位置が１〜８に対応するため、基地局１は、ＨＳ−ＰＤＳＣＨ（ｆａｓｔ）を送信する場合には、使用する拡散符号のオフセット位置の指示値をこの範囲（１〜８）内で指定する。
これにより、ＨＳ−ＳＣＣＨ受信チャネル数制御情報が送信されている旨を移動局２に通知するためのビットを別途に設ける必要がなく、ＣＣＳ情報の解釈の変更のみで通知が可能であることから、移動局２の設計変更が少なくて済むという効果が得られる。
図５は、Ｒｅｄｕｎｄａｎｔ  Ａｒｅａを用いてＨＳ−ＳＣＣＨ受信チャネル数制御情報を送信できるようにした場合を含めて、ＨＳ−ＳＣＣＨ（通常）及びＨＳ−ＳＣＣＨ（ｆａｓｔ）の作成フローを示す図である。規格書ＴＳ２１．２１２に記載されたフローとの差異は、ＣＣＳ入力ステップにおいて、ＨＳ−ＳＣＣＨ受信チャネル数制御情報がある旨の通知（Ｆａｓｔ  Ｓｉｇｎａｌｌｉｎｇ  Ｎｏｔｉｆｉｃａｔｉｏｎ）を入力できるようにしていることのみである。
上位層データを送信する場合には従来と同様のＣＣＳのビットの組み合わせを用い、ＨＳ−ＳＣＣＨ受信チャネル数制御情報を送信する場合にはＲｅｄｕｎｄａｎｔ  Ａｒｅａ内のビットの組み合わせを用いて、ＨＳ−ＳＣＣＨを作成する。その他の処理については、規格書ＴＳ２５．２１２に規定されている処理フローと同じであるので、ここでの説明は省略する。
以上のように、ＨＳ−ＳＣＣＨのチャネル構成はなんら従来技術と変わることがなく、ＣＣＳの解釈が追加されているのみである。従って、移動局２は従来技術と同様の受信処理を行なうことができ、移動局２が有するＨＳ−ＳＣＣＨ受信装置の構成もほとんど複雑化しないという効果がある。
図６は、本実施の形態１に係る基地局１の装置構成を示すブロック図である。なお、本発明は下りリンクに関する発明であり、上りリンクに関しては従来技術と同じである。図６では、本発明の説明に不要な処理ブロックの開示は省略している。
基地局１は、無線ネットワーク制御装置（ＲＮＣ）１ａと、基地局装置（Ｎｏｄｅ−Ｂ）１ｂとを備えている。無線ネットワーク制御装置１ａは、ＲＲＣ層処理ブロック９０１、ＲＬＣ層処理ブロック９０２、及びＭＡＣ−ｄ層処理ブロック９０３ａを備えている。基地局装置１ｂは、ＭＡＣ−ｈｓ層処理ブロック９０３ｂ及び物理層処理ブロック９０４を備えている。図６に示すようにリリース５対応であるＨＳＤＰＡが適用される場合には、リリース１９９９対応の装置とは異なり、ＭＡＣ層処理ブロックがＭＡＣ−ｄ層処理ブロック９０３ａとＭＡＣ−ｈｓ層処理ブロック９０３ｂとに分割されている。そして、各移動局２に対するＨＳ−ＳＣＣＨ受信チャネル数の割り当ては、ＭＡＣ−ｈｓ層処理ブロック９０３ｂによって行われる。
まず、無線ネットワーク制御装置１ａにおいて、ＲＲＣ層よりも上位のプロトコル層から送られてきたデータ９１０が、ＲＬＣ層処理ブロック９０２に入力される。また、ＲＲＣ層処理ブロック９０１から送られてきたデータ９１１も、ＲＬＣ層処理ブロック９０２に入力される。データ９１０，９１１は、ＲＬＣ層処理ブロック９０２から出力されて、ＭＡＣ−ｄ層処理ブロック９０３ａに入力される。
リリース１９９９対応の物理層チャネル（ＤＰＤＣＨ）を使用して移動局２に送信されるデータ９１２は、ＭＡＣ−ｄ層処理ブロック９０３ａから出力されて、Ｒ１９９９物理層処理ブロック９０４ａに入力される。そして、Ｒ１９９９物理層処理ブロック９０４ａによって所定の処理が行われることによってＤＰＤＣＨ９１４となり、ＤＰＤＣＨ９１４はチャネル多重器９０５に送られる。
一方、ＨＳＤＰＡ対応チャネル（ＨＳ−ＰＤＳＣＨ）を使用して移動局２に送信されるデータ９１３は、ＭＡＣ−ｄ層処理ブロック９０３ａから出力されて、ＭＡＣ−ｈｓ層処理ブロック９０３ｂ内のＭＡＣ−ｈｓ処理部に入力される。ＭＡＣ−ｈｓ処理部から出力されたデータ９１８は、ＨＳＤＰＡ物理層処理ブロック９０４ｂによって所定の処理が行われることにより、ＨＳ−ＰＤＳＣＨ９２０となる。これにより、ＨＳ−ＰＤＳＣＨ（通常）が得られる。ＨＳ−ＰＤＳＣＨ９２０は、チャネル多重器９０５に送られる。また、ＭＡＣ−ｈｓ処理部によって送信タイミングや変調方法等が決定され、Ａｓｓｏｃｉａｔｅｄ  Ｓｉｇｎａｌｌｉｎｇ９１７としてＨＳＤＰＡ物理層処理ブロック９０４ｂに入力される。ＨＳＤＰＡ物理層処理ブロック９０４ｂは、Ａｓｓｏｃｉａｔｅｄ  Ｓｉｇｎａｌｌｉｎｇ９１７に基づいてＨＳ−ＳＣＣＨ９１９を生成して出力する。ＨＳ−ＳＣＣＨ９１９は、チャネル多重器９０５に送られる。
チャネル多重器９０５から出力されたチャネルは、送信部９０６において公知の技術によって無線周波数信号に変換された後、アンテナ９０７から移動局２に向けて無線送信される。
以上の動作は、従来技術と同じである。
次に、ＨＳ−ＳＣＣＨ受信チャネル数制御情報９１６を送信する場合の動作について説明する。ＭＡＣ−ｈｓ制御部によって生成されたＨＳ−ＳＣＣＨ受信チャネル数制御情報９１６は、ＭＡＣ−ｈｓ処理部に送られる。ＭＡＣ−ｈｓ処理部は、上位層から送られてきたデータ９１３と、ＨＳ−ＳＣＣＨ受信チャネル数制御情報９１６とに関して、優先度を比較する。そして、ＭＡＣ−ｈｓ処理部は、送信タイミングや変調方法等を決定して、Ａｓｓｏｓｉａｔｅｄ  Ｓｉｇｎａｌｌｉｎｇ９１７としてＨＳＤＰＡ物理層処理ブロック９０４ｂに通知する。ＨＳＤＰＡ物理層処理ブロック９０４ｂは、図４，５に示したように、Ｒｅｄｕｎｄａｎｔ  Ａｒｅａ内のビットの組み合わせを用いてＣＣＳ情報を作成し、ＨＳ−ＳＣＣＨのｐａｒｔ１領域に設定する。これにより、ＨＳ−ＳＣＣＨ（ｆａｓｔ）が作成される。
次に、ＨＳ−ＳＣＣＨ受信チャネル数制御情報９１６は、データ９１８として、ＭＡＣ−ｈｓ処理部からＨＳＤＰＡ物理層処理ブロック９０４ｂへ入力される。データ９１８は、ＨＳＤＰＡ物理層処理ブロック９０４ｂによって所定の処理が行われることにより、ＨＳ−ＰＤＳＣＨ９２０となる。これにより、ＨＳ−ＰＤＳＣＨ（ｆａｓｔ）が作成される。
ＨＳ−ＰＤＳＣＨ（ｆａｓｔ）は、チャネル多重器９０５によって、図２に示したようにＨＳ−ＰＤＳＣＨ（通常）と多重され、送信部９０６及びアンテナ９０７を介して移動局２に向けて無線送信される。
図７は、図６に示したＭＡＣ−ｈｓ処理部が送信順序を決定するための処理フローの一例を示したフローチャートである。
まず、ステップＳＰ１１において、ＭＡＣ−ｈｓ処理部は、送信を必要とする上位層からのデータ９１３が存在するか否かを判定する。
送信を必要とする上位層からのデータ９１３が存在しない場合（即ち、ステップＳＰ１１における判定の結果が「ＮＯ」である場合）はステップＳＰ１２に進み、ＭＡＣ−ｈｓ処理部は、ＭＡＣ−ｈｓ制御部からＨＳ−ＳＣＣＨ受信チャネル数制御情報９１６が入力されているか否かを判定する。
ＨＳ−ＳＣＣＨ受信チャネル数制御情報９１６が入力されていない場合（即ち、ステップＳＰ１２における判定の結果が「ＮＯ」である場合）はステップＳＰ１４に進み、ＭＡＣ−ｈｓ処理部は、送信が完了しているかを判定する。
ステップＳＰ１２における判定の結果、ＨＳ−ＳＣＣＨ受信チャネル数制御情報９１６が入力されている場合（即ち、ステップＳＰ１２における判定の結果が「ＹＥＳ」である場合）はステップＳＰ１３に進み、ＭＡＣ−ｈｓ処理部は、ＨＳ−ＳＣＣＨ受信チャネル数制御情報９１６をＨＳＤＰＡ物理層処理ブロック９０４ｂへ送る。これにより、ＨＳ−ＰＤＳＣＨ（ｆａｓｔ）が移動局２に送信される。その後、ＭＡＣ−ｈｓ処理部は、ステップＳＰ１４において、送信が完了したか否かの判定を行う。
ステップＳＰ１１における判定の結果、送信を必要とする上位層からのデータ９１３が存在する場合（即ち、ステップＳＰ１１における判定の結果が「ＹＥＳ」である場合）はステップＳＰ１５に進み、ＭＡＣ−ｈｓ処理部は、ＭＡＣ−ｈｓ制御部からＨＳ−ＳＣＣＨ受信チャネル数制御情報９１６が入力されているか否かを判定する。
ＨＳ−ＳＣＣＨ受信チャネル数制御情報９１６が入力されていない場合（即ち、ステップＳＰ１５における判定の結果が「ＮＯ」である場合）はステップＳＰ１７に進み、ＭＡＣ−ｈｓ処理部は、上位層からのデータ９１３をＨＳＤＰＡ物理層処理ブロック９０４ｂへ送る。これにより、ＨＳ−ＰＤＳＣＨ（通常）が移動局２に送信される。その後、ＭＡＣ−ｈｓ処理部は、ステップＳＰ１４において、送信が完了したか否かの判定を行う。
ステップＳＰ１５における判定の結果、ＨＳ−ＳＣＣＨ受信チャネル数制御情報９１６が入力されている場合（即ち、ステップＳＰ１５における判定の結果が「ＹＥＳ」である場合）はステップＳＰ１６に進み、ＭＡＣ−ｈｓ処理部は、上位層からのデータ９１３及びＨＳ−ＳＣＣＨ受信チャネル数制御情報９１６のどちらを優先して送信するかを決定する。つまり、上位層からのデータ９１３よりもＨＳ−ＳＣＣＨ受信チャネル数制御情報９１６のほうが優先度が高いか否かを判定する。
ＨＳ−ＳＣＣＨ受信チャネル数制御情報９１６の送信を優先する場合（即ち、ステップＳＰ１６における判定の結果が「ＹＥＳ」である場合）はステップＳＰ１３に進み、ＭＡＣ−ｈｓ処理部は、ＨＳ−ＳＣＣＨ受信チャネル数制御情報９１６をＨＳＤＰＡ物理層処理ブロック９０４ｂへ送る。これにより、ＨＳ−ＰＤＳＣＨ（ｆａｓｔ）が移動局２に送信される。その後、ＭＡＣ−ｈｓ処理部は、ステップＳＰ１４において、送信が完了したか否かの判定を行う。
上位層からのデータ９１３の送信を優先する場合（即ち、ステップＳＰ１６における判定の結果が「ＮＯ」である場合）はステップＳＰ１７に進み、ＭＡＣ−ｈｓ処理部は、上位層からのデータ９１３をＨＳＤＰＡ物理層処理ブロック９０４ｂへ送る。これにより、ＨＳ−ＰＤＳＣＨ（通常）が移動局２に送信される。その後、ＭＡＣ−ｈｓ処理部は、ステップＳＰ１４において、送信が完了したか否かの判定を行う。
ステップＳＰ１４における判定の結果、全ての送信が完了していない場合（即ち、ステップＳＰ１４における判定の結果が「ＮＯ」である場合）は、ステップＳＰ１１に戻る。一方、全ての送信が完了している場合（即ち、ステップＳＰ１４における判定の結果が「ＹＥＳ」である場合）は、処理を終了する。
例えば、上位層からのデータ９１３とＨＳ−ＳＣＣＨ受信チャネル数制御情報９１６とがあり、上位層からのデータ９１３の送信が優先される場合には、ステップＳＰ１１，ＳＰ１５，ＳＰ１６，ＳＰ１７，ＳＰ１４における各処理がこの順に実行され、この場合のタイミングチャートは図２に示した通りとなる。
図８は、本実施の形態１に係る移動局２の装置構成を示すブロック図である。図６に示した基地局１と同様に、上りリンクに関しては従来技術と同じであり、図８では、本発明の説明に不要な処理ブロックの開示は省略している。また、リリース１９９９規格に対応する動作は、図６に示した基地局１における処理と逆の流れになるだけなので、その動作の説明は省略する。よって、以下では、ＨＳＤＰＡに関係する構成及び動作について説明する。
また、本実施の形態１では、ＨＳ−ＳＣＣＨのＣＣＳ部分の解釈を変更することによって、ＨＳ−ＳＣＣＨ受信チャネル数制御情報を送るようにしている。そのため、移動局２の装置構成は従来技術と同様になるので、チャネルの説明においては「通常」及び「ｆａｓｔ」という区別は特にしていない。
移動局２は、ＲＲＣ層処理ブロック１０１、ＲＬＣ層処理ブロック１０２、ＭＡＣ−ｄ層処理ブロック１０３ａ、ＭＡＣ−ｈｓ層処理ブロック１０３ｂ、及び物理層処理ブロック１０４を備えている。
基地局１のアンテナ９０７から無線送信された信号は、移動局２のアンテナ１０７によって受信された後、受信部１０６において公知の技術によって復調され、さらに、チャネル分離部１０５において、符号分離によって各々のチャネルに分離される。
ＨＳ−ＳＣＣＨ１１９及びＨＳ−ＰＤＳＣＨ１２０は、ＨＳＤＰＡ物理層処理ブロック１０４ｂによって処理される。受信タイミングとしては、ＨＳ−ＰＤＳＣＨ１２０よりもＨＳ−ＳＣＣＨ１１９のほうが先に受信される。ＨＳＤＰＡ物理層処理ブロック１０４ｂは、ＨＳ−ＳＣＣＨ１１９のｐａｒｔ１領域に記述されているＣＣＳ情報を解読し、ＣＣＳ情報が、従来のビットの組み合わせであるか、又はＲｅｄｕｎｄａｎｔ  Ａｒｅａ内のビットの組み合わせであるかを判定する。
ＣＣＳ情報が従来のビットの組み合わせである場合（即ち、上位層データを受信した場合）は、ＨＳ−ＰＤＳＣＨのデータ１１８が、ＨＳＤＰＡ物理層処理ブロック１０４ｂからＭＡＣ−ｈｓ処理部に入力される。ＭＡＣ−ｈｓ処理部から出力されたデータ１０８は、ＭＡＣ−ｄ層処理ブロック１０３ａ及びＲＬＣ層処理ブロック１０２をこの順に通って、上位層データ１１０として上位のプロトコル層へ送られる。
一方、ＣＣＳ情報がＲｅｄｕｎｄａｎｔ  Ａｒｅａ内のビットの組み合わせである場合（即ち、ＨＳ−ＳＣＣＨ受信チャネル数制御情報を受信した場合）は、ＨＳＤＰＡ物理層処理ブロック１０４ｂによってＨＳ−ＰＤＳＣＨ１２０から取り出されたデータ１１８は、ＨＳ−ＳＣＣＨ受信チャネル数制御情報１１６として、ＭＡＣ−ｈｓ処理部からＭＡＣ−ｈｓ制御部に送られる。ＨＳ−ＳＣＣＨ受信チャネル数制御情報１１６は、物理層を制御するための制御情報の一つとして、ＭＡＣ−ｈｓ制御部から物理層制御線１２１を介してＨＳＤＰＡ物理層処理ブロック１０４ｂに送られる。ＨＳＤＰＡ物理層処理ブロック１０４ｂは、ＨＳ−ＳＣＣＨ受信チャネル数制御情報１１６に基づいて、ＨＳ−ＳＣＣＨ受信チャネル数の設定を変更する。
ＨＳ−ＳＣＣＨ１１９及びＨＳ−ＰＤＳＣＨ１２０は、１回あたりの送信に要する時間が比較的短い（２ｍｓｅｃ程度）。また、それらをＭＡＣ−ｈｓ層処理ブロック１０３ｂ及び物理層処理ブロック１０４によって処理するために要する時間も比較的短い（ｍｓｅｃオーダー）。従って、ＲＲＣ層処理ブロック１０１による処理を経由してＨＳ−ＳＣＣＨ１１９及びＨＳ−ＰＤＳＣＨ１２０を処理する場合と比較すると、基地局１から移動局２へ高速に制御情報（上記の例ではＨＳ−ＳＣＣＨ受信チャネル数制御情報）を送信することができる。
図９は、図８に示したＨＳＤＰＡ物理層処理ブロック１０４ｂ及びＭＡＣ−ｈｓ処理ブロック１０３ｂにおける処理フローの一例を示したフローチャートである。
まず、ステップＳＰ２１においてＨＳ−ＳＣＣＨ１１９が復調された後、ステップＳＰ２２において、ＨＳＤＰＡ物理層処理ブロック１０４ｂは、ＨＳ−ＳＣＣＨ１１９のｐａｒｔ１領域に記述されているＣＣＳ情報が、Ｒｅｄｕｎｄａｎｔ  Ａｒｅａ内のビットの組み合わせであるか否かを判定する。即ち、受信したＨＳ−ＳＣＣＨ１１９がＨＳ−ＳＣＣＨ（通常）であるかＨＳ−ＳＣＣＨ（ｆａｓｔ）であるかを判定する。
ＣＣＳ情報がＲｅｄｕｎｄａｎｔ  Ａｒｅａ内のビットの組み合わせである場合（即ち、ステップＳＰ２２における判定の結果が「ＹＥＳ」である場合）はステップＳＰ２３に進み、ＨＳＤＰＡ物理層処理ブロック１０４ｂは、ＨＳ−ＳＣＣＨ１１９内に含まれている各種の情報（ＨＳ−ＰＤＳＣＨ１２０のデータサイズや変調方式等に関する情報）に従って、ＨＳ−ＰＤＳＣＨ１２０を復調する。
次に、ステップＳＰ２４において、ＨＳＤＰＡ物理層処理ブロック１０４ｂは、ＨＳ−ＰＤＳＣＨ１２０を正しく復調できたか否かを判定する。
正しく復調できた場合（即ち、ステップＳＰ２４における判定の結果が「ＹＥＳ」である場合）はステップＳＰ２５に進み、ＨＳＤＰＡ物理層処理ブロック１０４ｂは、復調によって得られたデータ１１８をＭＡＣ−ｈｓ層処理ブロック１０３ｂに送る。また、ＭＡＣ−ｈｓ層処理ブロック１０３ｂ内においては、ＭＡＣ−ｈｓ処理部からＭＡＣ−ｈｓ制御部へＨＳ−ＳＣＣＨ受信チャネル数制御情報１１６が送られる。さらに、ＨＳ−ＳＣＣＨ受信チャネル数制御情報１１６は、ＭＡＣ−ｈｓ制御部からＨＳＤＰＡ物理層処理ブロック１０４ｂに送られる。
次に、ステップＳＰ２６において、ＨＳＤＰＡ物理層処理ブロック１０４ｂは、ＨＳ−ＳＣＣＨ受信チャネル数制御情報１１６に基づいて、ＨＳ−ＳＣＣＨ受信チャネル数の設定を変更する。
次に、ステップＳＰ２７において、ＨＳ−ＳＣＣＨ１１９及びＨＳ−ＰＤＳＣＨ１２０の受信が完了したか否かが判定される。
一方、ステップＳＰ２２における判定の結果、ＣＣＳ情報が従来のビットの組み合わせである場合（即ち、ステップＳＰ２２における判定の結果が「ＮＯ」である場合）はステップＳＰ２８に進み、ＨＳＤＰＡ物理層処理ブロック１０４ｂは、ＨＳ−ＳＣＣＨ１１９内に含まれている各種の情報（ＨＳ−ＰＤＳＣＨ１２０のデータサイズや変調方式等に関する情報）に従って、ＨＳ−ＰＤＳＣＨ１２０を復調する。
次に、ステップＳＰ２９において、ＨＳＤＰＡ物理層処理ブロック１０４ｂは、ＨＳ−ＰＤＳＣＨ１２０を正しく復調できたか否かを判定する。
正しく復調できた場合（即ち、ステップＳＰ２９における判定の結果が「ＹＥＳ」である場合）は、ＭＡＣ−ｈｓ層処理ブロック１０３ｂによる処理（ステップＳＰ３０）、及び、ＭＡＣ−ｄ層処理ブロック１０３ａによる処理（ステップＳＰ３１）が、この順に実行される。次に、ステップＳＰ３２において、ＲＬＣ層処理ブロック１２０による処理が行われた後、上位層データ１１０が上位のプロトコル層へ送られる。次に、ステップＳＰ２７において、ＨＳ−ＳＣＣＨ１１９及びＨＳ−ＰＤＳＣＨ１２０の受信が完了したか否かが判定される。
また、ステップＳＰ２４，ＳＰ２９における判定の結果、ＨＳ−ＰＤＳＣＨ１２０を正しく復調できなかった場合（即ち、ステップＳＰ２４，ＳＰ２９における判定の結果が「ＮＯ」である場合）は、ステップＳＰ２１に戻る。
ステップＳＰ２７における判定の結果、全ての受信が完了していない場合（即ち、ステップＳＰ２７における判定の結果が「ＮＯ」である場合）は、ステップＳＰ２１に戻る。一方、全ての受信が完了している場合（即ち、ステップＳＰ２７における判定の結果が「ＹＥＳ」である場合）は、処理を終了する。
なお、図９には記載していないが、ステップＳＰ２３，ＳＰ２８においてＨＳ−ＰＤＳＣＨ１２０を正しく復調できた場合には、移動局２からＨＳ−ＤＰＣＣＨを介して基地局１へＡＣＫ信号が送信される。一方、正しく復調できなかった場合にはＮＡＣＫ信号が送信される。
上記のように本実施の形態１に係る通信システムによれば、ＲＲＣ層処理ブロック１０１による処理を経由してＨＳ−ＳＣＣＨ１１９及びＨＳ−ＰＤＳＣＨ１２０を処理する場合と比較すると、基地局１から移動局２へ高速に制御情報（上記の例ではＨＳ−ＳＣＣＨ受信チャネル数制御情報）を送信できる。その結果、本実施の形態１に係る通信システムによれば、下りリンクにおけるパケットの送信状況に合わせて、無駄な受信動作を行わないよう移動局２を高速に制御できるため、移動局２における消費電力の低減を図れるという効果が得られる。
なお、以上の説明では、図２に示したように、ＨＳ−ＳＣＣＨ（ｆａｓｔ）及びＨＳ−ＰＤＳＣＨ（ｆａｓｔ）の各拡散符合として、ＨＳ−ＳＣＣＨ（通常）及びＨＳ−ＰＤＳＣＨ（通常）と同じ拡散符号が用いられている。しかしながら、ＨＳ−ＳＣＣＨ（ｆａｓｔ）及びＨＳ−ＰＤＳＣＨ（ｆａｓｔ）の各拡散符号として、専用の拡散符号を基地局１によって規定し、その専用の拡散符号を移動局２に予め通知しておいてもよい。この場合、専用の拡散符号に対応する受信回路を移動局２に別途設けることにより、移動局２は、ＨＳ−ＳＣＣＨ（通常）及びＨＳ−ＰＤＳＣＨ（通常）ではなくＨＳ−ＳＣＣＨ（ｆａｓｔ）及びＨＳ−ＰＤＳＣＨ（ｆａｓｔ）であることを、より確実に検知することができる。その結果、高い信頼性が必要とされる制御情報の送信をより確実に行えるという効果が得られる。
また、以上の説明では、ＨＳ−ＰＤＳＣＨ（ｆａｓｔ）の送信ビット数が固定値とされている。しかしながら、ＨＳ−ＳＣＣＨのＣＣＳ部分のＲｅｄｕｎｄａｎｔ  Ａｒｅａを複数の領域に分割し、ＨＳ−ＰＤＳＣＨ（ｆａｓｔ）の送信ビット数を複数設定して、各領域に割り当ててもよい。さらに、この場合は、ＨＳ−ＳＣＣＨ受信チャネル数制御情報以外の他の制御情報を、ＨＳ−ＳＣＣＨ受信チャネル数制御情報とともにＨＳ−ＰＤＳＣＨ（ｆａｓｔ）によって移動局２に送信し、移動局２を制御するようにしてもよい。
２．実施の形態２
本発明の実施の形態２に係る通信システムでは、ＨＳ−ＳＣＣＨ受信チャネル数制御情報は、上位層データに多重されて、上位層データが送信されるタイミングと同じタイミングで受信局２に送信される。その際、ＨＳ−ＳＣＣＨ受信チャネル数制御情報と上位層データとは、互いに異なるＨＳ−ＰＤＳＣＨを用いて送信される。
本実施の形態２に係る基地局１及び移動局２の各装置構成は、それぞれ図６，８に示した構成と同様である。
図１０は、図１に示した下りリンク５における、ＨＳＤＰＡ対応チャネルの送信タイミングの一例を示すタイミングチャートである。図１０には、ＨＳ−ＰＤＳＣＨ（通常）が送信された後に、符号多重されたＨＳ−ＰＤＳＣＨ（通常）とＨＳ−ＳＣＣＨ（ｆａｓｔ）とが送信されている場合の例が示されている。
上記実施の形態１と同様に、移動局２は、ＨＳ−ＰＤＳＣＨを受信する前にＨＳ−ＰＤＳＣＨの拡散符号数等を予め分かっている必要があるため、ＨＳ−ＳＣＣＨのｐａｒｔ１領域がＨＳ−ＰＤＳＣＨよりも先に復調されるように、ＨＳ−ＳＣＣＨがＨＳ−ＰＤＳＣＨよりも先行して基地局１から移動局２へ送信されている。
図１０に示した例によると、第１回目の送信タイミングでは、ＨＳ−ＰＤＳＣＨ（通常）は、拡散符号を５つ用いて、同時に送信されている。第２回目の送信タイミングでは、ＨＳ−ＰＤＳＣＨ（通常）が拡散符号を５つ用いるとともに、ＨＳ−ＰＤＳＣＨ（ｆａｓｔ）が拡散符号を１つだけ用いて、同時に送信されている。
また、図１０において、ＨＳ−ＳＣＣＨ受信チャネル数制御情報（ＨＳ−ＰＤＳＣＨ（ｆａｓｔ））は、上位層データ（ＨＳ−ＰＤＳＣＨ（通常））とは異なるＨＳ−ＰＤＳＣＨを用いて送信されている。即ち、ＨＳ−ＳＣＣＨ（ｆａｓｔ）は、ＨＳ−ＳＣＣＨ（通常）の送信のために使用される５つの拡散符号とは異なる拡散符号を用いて送信されている。
上位層データとＨＳ−ＳＣＣＨ受信チャネル数制御情報とを符号多重によって同一の送信タイミングで送信する場合には、ＨＳ−ＳＣＣＨ（ｆａｓｔ）のＣＣＳの設定方法として、以下の二つの方法が使用可能である。
一つは、ＨＳ−ＰＤＳＣＨ（通常）用の拡散符号のみをＣＣＳによって明示的に指定し、ＨＳ−ＰＤＳＣＨ（ｆａｓｔ）用の拡散符号はＣＣＳによって指定しない方法である。この場合、暗黙の了解として、例えば、ＨＳ−ＰＤＳＣＨ（通常）用に指定された拡散符号の次の番号の拡散符号が、ＨＳ−ＰＤＳＣＨ（ｆａｓｔ）用の拡散符号として用いられる。即ち、ＨＳ−ＰＤＳＣＨ（通常）に連続しているＨＳ−ＰＤＳＣＨが、ＨＳ−ＰＤＳＣＨ（ｆａｓｔ）として割り当てられる。
もう一つは、ＨＳ−ＰＤＳＣＨ（通常）用の拡散符号とＨＳ−ＰＤＳＣＨ（ｆａｓｔ）用の拡散符号とを、ともにＣＣＳによって明示的に指定する方法である。この場合、ＨＳ−ＰＤＳＣＨ用の拡散符号は拡散符号数とオフセット位置とによって指定するというＣＣＳの指定方法の制限（図４の（Ａ）参照）があるため、ＨＳ−ＰＤＳＣＨ（通常）用の拡散符号とＨＳ−ＰＤＳＣＨ（ｆａｓｔ）用の拡散符号とは、互いに連続する番号を用いて指定される。
図１１は、基地局１が有するＨＳＤＰＡ物理層処理ブロック９０４ｂ（図６参照）による、ＨＳ−ＰＤＳＣＨに対する処理フローの一例を示すフローチャートである。図の左側のフローが上位層データに関する送信処理フローであり、右側のフローがＨＳ−ＳＣＣＨ受信チャネル数制御情報に関する送信処理フローである。ＨＳＤＰＡ物理層処理ブロック９０４ｂは、これら２系統の処理を独立に実行する。
図１１において、「ＰｈＣＨ」は物理層出力チャネル（ＨＳ−ＰＤＳＣＨ）を表している。また、「ＰｈＣＨ＃Ｐ」の「Ｐ」は、ＨＳ−ＰＤＳＣＨ（通常）用の拡散符号数を表しており、「ＰｈＣＨ＃Ｐ＋Ｎ」の「Ｎ」は、ＨＳ−ＰＤＳＣＨ（ｆａｓｔ）用の拡散符号数を表している。図１０に示した例では、Ｐ＝５、Ｎ＝１となる。
上位層データに関する送信処理フローはリリース５規格によって規定されているフローと全く同じであり、本発明の説明には不要であるので、ここでの説明は省略する。また、ＨＳ−ＳＣＣＨ受信チャネル数制御情報に関する送信処理フローは、最初に入力されるデータが異なるのみで、処理の内容自体はリリース５規格のフローと同じであるので、同様に説明を省略する。
なお、図１１に示した例では、ＨＳ−ＰＤＳＣＨ（通常）用とＨＳ−ＰＤＳＣＨ（ｆａｓｔ）用とで処理フローが２系統に分けられているが、基地局１の処理能力に余裕がある場合は、１系統の処理回路によって双方の処理を行ってもよい。この場合には、処理回路の規模が小さくて済むという効果が得られる。
図１２は、図６に示したＭＡＣ−ｈｓ処理部が送信順序を決定するための処理フローの一例を示したフローチャートである。
まず、ステップＳＰ４１において、ＭＡＣ−ｈｓ処理部は、送信を必要とする上位層からのデータ９１３が存在するか否かを判定する。
送信を必要とする上位層からのデータ９１３が存在しない場合（即ち、ステップＳＰ４１における判定の結果が「ＮＯ」である場合）はステップＳＰ４２に進み、ＭＡＣ−ｈｓ処理部は、ＭＡＣ−ｈｓ制御部からＨＳ−ＳＣＣＨ受信チャネル数制御情報９１６が入力されているか否かを判定する。
ＨＳ−ＳＣＣＨ受信チャネル数制御情報９１６が入力されていない場合（即ち、ステップＳＰ４２における判定の結果が「ＮＯ」である場合）はステップＳＰ４４に進み、ＭＡＣ−ｈｓ処理部は、送信が完了しているか否かを判定する。
ステップＳＰ４２における判定の結果、ＨＳ−ＳＣＣＨ受信チャネル数制御情報９１６が入力されている場合（即ち、ステップＳＰ４２における判定の結果が「ＹＥＳ」である場合）はステップＳＰ４３に進み、ＭＡＣ−ｈｓ処理部は、ＨＳ−ＳＣＣＨ受信チャネル数制御情報９１６をＨＳＤＰＡ物理層処理ブロック９０４ｂへ送る。これにより、ＨＳ−ＰＤＳＣＨ（ｆａｓｔ）が移動局２に送信される。その後、ＭＡＣ−ｈｓ処理部は、ステップＳＰ４４において、送信が完了したか否かの判定を行う。
ステップＳＰ４１における判定の結果、送信を必要とする上位層からのデータ９１３が存在する場合（即ち、ステップＳＰ４１における判定の結果が「ＹＥＳ」である場合）はステップＳＰ４５に進み、ＭＡＣ−ｈｓ処理部は、ＭＡＣ−ｈｓ制御部からＨＳ−ＳＣＣＨ受信チャネル数制御情報９１６が入力されているか否かを判定する。
ＨＳ−ＳＣＣＨ受信チャネル数制御情報９１６が入力されていない場合（即ち、ステップＳＰ４５における判定の結果が「ＮＯ」である場合）はステップＳＰ４７に進み、ＭＡＣ−ｈｓ処理部は、上位層からのデータ９１３をＨＳＤＰＡ物理層処理ブロック９０４ｂへ送る。これにより、ＨＳ−ＰＤＳＣＨ（通常）が移動局２に送信される。その後、ＭＡＣ−ｈｓ処理部は、ステップＳＰ４４において、送信が完了したか否かの判定を行う。
ステップＳＰ４５における判定の結果、ＨＳ−ＳＣＣＨ受信チャネル数制御情報９１６が入力されている場合（即ち、ステップＳＰ４５における判定の結果が「ＹＥＳ」である場合）はステップＳＰ４６に進み、ＭＡＣ−ｈｓ処理部は、上位層からのデータ９１３及びＨＳ−ＳＣＣＨ受信チャネル数制御情報９１６をＨＳＤＰＡ物理層処理ブロック９０４ｂへ送る。これにより、ＨＳ−ＰＤＳＣＨ（通常）及びＨＳ−ＰＤＳＣＨ（ｆａｓｔ）が多重されて移動局２に送信される。その後、ＭＡＣ−ｈｓ処理部は、ステップＳＰ４４において、送信が完了したか否かの判定を行う。
ステップＳＰ４４における判定の結果、全ての送信が完了していない場合（即ち、ステップＳＰ４４における判定の結果が「ＮＯ」である場合）は、ステップＳＰ４１に戻る。一方、全ての送信が完了している場合（即ち、ステップＳＰ４４における判定の結果が「ＹＥＳ」である場合）は、処理を終了する。
図１３，１４は、図８に示したＨＳＤＰＡ物理層処理ブロック１０４ｂ及びＭＡＣ−ｈｓ処理ブロック１０３ｂにおける処理フローの一例を示したフローチャートである。
まず、ステップＳＰ５１においてＨＳ−ＳＣＣＨ１１９が復調された後、ステップＳＰ５２において、ＨＳＤＰＡ物理層処理ブロック１０４ｂは、ＨＳ−ＳＣＣＨ１１９のｐａｒｔ１領域に記述されているＣＣＳ情報が、Ｒｅｄｕｎｄａｎｔ  Ａｒｅａ内のビットの組み合わせであるか否かを判定する。
ＣＣＳ情報がＲｅｄｕｎｄａｎｔ  Ａｒｅａ内のビットの組み合わせである場合（即ち、ステップＳＰ５２における判定の結果が「ＹＥＳ」である場合）はステップＳＰ５３に進み、ＨＳＤＰＡ物理層処理ブロック１０４ｂは、ＨＳ−ＳＣＣＨ１１９内に含まれている各種の情報に従って、ＨＳ−ＰＤＳＣＨ１２０を復調する。
次に、ステップＳＰ５４において、ＨＳＤＰＡ物理層処理ブロック１０４ｂは、ＨＳ−ＰＤＳＣＨ１２０を正しく復調できたか否かを判定する。
正しく復調できた場合（即ち、ステップＳＰ５４における判定の結果が「ＹＥＳ」である場合）はステップＳＰ５５に進み、ＨＳＤＰＡ物理層処理ブロック１０４ｂは、上位層データとＨＳ−ＳＣＣＨ受信チャネル数制御情報１１６とを分離する。
ステップＳＰ５５において分離されたＨＳ−ＳＣＣＨ受信チャネル数制御情報１１６は、ステップＳＰ５６において、ＭＡＣ−ｈｓ層処理ブロック１０３ｂに送られる。また、ＨＳ−ＳＣＣＨ受信チャネル数制御情報１１６は、ＭＡＣ−ｈｓ処理部からＭＡＣ−ｈｓ制御部へ送られる。さらに、ＨＳ−ＳＣＣＨ受信チャネル数制御情報１１６は、ＭＡＣ−ｈｓ制御部からＨＳＤＰＡ物理層処理ブロック１０４ｂに送られる。
次に、ステップＳＰ５７において、ＨＳＤＰＡ物理層処理ブロック１０４ｂは、ＨＳ−ＳＣＣＨ受信チャネル数制御情報１１６に基づいて、ＨＳ−ＳＣＣＨ受信チャネル数の設定を変更する。
次に、ステップＳＰ５８において、ＨＳ−ＳＣＣＨ１１９及びＨＳ−ＰＤＳＣＨ１２０の受信が完了したか否かが判定される。
また、ステップＳＰ５５において分離された上位層データに関しては、ＭＡＣ−ｈｓ層処理ブロック１０３ｂによる処理（ステップＳＰ５９）、及び、ＭＡＣ−ｄ層処理ブロック１０３ａによる処理（ステップＳＰ６０）が、この順に実行される。次に、ステップＳＰ６１において、ＲＬＣ層処理ブロック１２０による処理が行われた後、上位層データが上位のプロトコル層へ送られる。次に、ステップＳＰ５８において、ＨＳ−ＳＣＣＨ１１９及びＨＳ−ＰＤＳＣＨ１２０の受信が完了したか否かが判定される。
一方、ステップＳＰ５２における判定の結果、ＣＣＳ情報が従来のビットの組み合わせである場合（即ち、ステップＳＰ５２における判定の結果が「ＮＯ」である場合）はステップＳＰ６２に進み、ＨＳＤＰＡ物理層処理ブロック１０４ｂは、ＨＳ−ＳＣＣＨ１１９内に含まれている各種の情報に従って、ＨＳ−ＰＤＳＣＨ１２０を復調する。
次に、ステップＳＰ６３において、ＨＳＤＰＡ物理層処理ブロック１０４ｂは、ＨＳ−ＰＤＳＣＨ１２０を正しく復調できたか否かを判定する。
正しく復調できた場合（即ち、ステップＳＰ６３における判定の結果が「ＹＥＳ」である場合）は、ＭＡＣ−ｈｓ層処理ブロック１０３ｂによる処理（ステップＳＰ６４）、及び、ＭＡＣ−ｄ層処理ブロック１０３ａによる処理（ステップＳＰ６５）が、この順に実行される。次に、ステップＳＰ６６において、ＲＬＣ層処理ブロック１２０による処理が行われた後、上位層データが上位のプロトコル層へ送られる。次に、ステップＳＰ５８において、ＨＳ−ＳＣＣＨ１１９及びＨＳ−ＰＤＳＣＨ１２０の受信が完了したか否かが判定される。
また、ステップＳＰ５４，ＳＰ６３における判定の結果、ＨＳ−ＰＤＳＣＨ１２０を正しく復調できなかった場合（即ち、ステップＳＰ５４，ＳＰ６３における判定の結果が「ＮＯ」である場合）は、ステップＳＰ５１に戻る。
ステップＳＰ５８における判定の結果、全ての受信が完了していない場合（即ち、ステップＳＰ５８における判定の結果が「ＮＯ」である場合）は、ステップＳＰ５１に戻る。一方、全ての受信が完了している場合（即ち、ステップＳＰ５８における判定の結果が「ＹＥＳ」である場合）は、処理を終了する。
このように本実施の形態２に係る通信システムによれば、図１０に示したように、ＨＳ−ＳＣＣＨ受信チャネル数制御情報は、上位層データと同じ送信タイミングで送信されている。そのため、上位層データに関して送信タイミングを逸することがないという効果が得られる。
３．実施の形態３
本発明の実施の形態３に係る通信システムでは、ＨＳ−ＳＣＣＨ受信チャネル数制御情報は、上位層データに多重されて、上位層データが送信されるタイミングと同じタイミングで受信局２に送信される。その際、ＨＳ−ＳＣＣＨ受信チャネル数制御情報と上位層データとは、同一のＨＳ−ＰＤＳＣＨを用いて送信される。
本実施の形態３に係る基地局１及び移動局２の各装置構成は、それぞれ図６，８に示した構成と同様である。
図１５は、図１に示した下りリンク５における、ＨＳＤＰＡ対応チャネルの送信タイミングの一例を示すタイミングチャートである。図１５には、ＨＳ−ＰＤＳＣＨ（通常）が送信された後に、ＨＳ−ＰＤＳＣＨ（通常）とＨＳ−ＰＤＳＣＨ（ｆａｓｔ）とが同一パケット内に混合されたＨＳ−ＰＤＳＣＨ（通常＋ｆａｓｔ）と、ＨＳ−ＳＣＣＨ（ｆａｓｔ）とが符号多重されて送信されている場合の例が示されている。
上記実施の形態１と同様に、移動局２は、ＨＳ−ＰＤＳＣＨを受信する前にＨＳ−ＰＤＳＣＨの拡散符号数等を予め分かっている必要があるため、ＨＳ−ＳＣＣＨのｐａｒｔ１領域がＨＳ−ＰＤＳＣＨよりも先に復調されるように、ＨＳ−ＳＣＣＨがＨＳ−ＰＤＳＣＨよりも先行して基地局１から移動局２へ送信されている。
図１５に示した例によると、第１回目の送信タイミングでは、ＨＳ−ＰＤＳＣＨ（通常）は、拡散符号を５つ用いて、同時に送信されている。第２回目の送信タイミングでは、ＨＳ−ＰＤＳＣＨ（通常）とＨＳ−ＰＤＳＣＨ（ｆａｓｔ）とが同一パケット内に混合されたＨＳ−ＰＤＳＣＨ（通常＋ｆａｓｔ）が、拡散符号を６つ用いて、同時に送信されている。
ＨＳ−ＰＤＳＣＨ（通常）と比較すると、ＨＳ−ＰＤＳＣＨ（通常＋ｆａｓｔ）では、ＨＳ−ＳＣＣＨ受信チャネル数制御情報の送信ビット数分だけ、全体の送信ビット数が増加する。従って、ＨＳ−ＳＣＣＨ受信チャネル数制御情報の送信ビット数分を加えた場合の全体の送信ビット数を、予め規定しておく。
ＨＳ−ＳＣＣＨ（ｆａｓｔ）内に含まれるＴａｎｓｐｏｒｔ−ｂｌｏｃｋ  ｓｉｚｅ  ｉｎｆｏｒｍａｔｉｏｎの値としては、ＨＳ−ＳＣＣＨ受信チャネル数制御情報の送信ビット数分を加えた値を別途規定してもよい。あるいは、ＨＳ−ＳＣＣＨ受信チャネル数制御情報の送信ビット数は固定値に設定しておき、Ｔａｎｓｐｏｒｔ−ｂｌｏｃｋ  ｓｉｚｅ  ｉｎｆｏｒｍａｔｉｏｎの値としては、ＨＳ−ＰＤＳＣＨ（通常）の場合と同じ値としてもよい。
ＨＳ−ＳＣＣＨ受信チャネル数制御情報の送信ビット数を固定値として設定し、その送信ビット数を予め移動局２に通知しておくことにより、ＨＳ−ＰＤＳＣＨ（通常＋ｆａｓｔ）の送信の度にＨＳ−ＳＣＣＨ受信チャネル数制御情報の送信ビット数を移動局２に通知する必要がなくなる。その結果、基地局１及び移動局２の構成が複雑化することを回避できる。
図１６は、基地局１が有するＨＳＤＰＡ物理層処理ブロック９０４ｂ（図６参照）による、ＨＳ−ＰＤＳＣＨ（通常＋ｆａｓｔ）に対する処理フローの一例を示すフローチャートである。
図１６において、「ＰｈＣＨ＃Ｎ」の「Ｎ」は、ＨＳ−ＰＤＳＣＨ（通常＋ｆａｓｔ）用の拡散符号数を表している。図１５に示した例では、Ｎ＝６となる。
リリース５規格によって規定されている送信処理フローとの相違点は、送信データの入力ステップにおいて、上位層データとＨＳ−ＳＣＣＨ受信チャネル数制御情報とが併せて入力されていることのみである。その他の処理内容はリリース５規格のフローと同じであるので、ここでの説明は省略する。
なお、図１６に示した例では、上位層データとＨＳ−ＳＣＣＨ受信チャネル数制御情報とは最初の処理ステップにおいて混合されているが、この混合処理は、どの処理ステップにおいて行ってもよい。
このように本実施の形態３に係る通信システムによれば、図１５に示したように、ＨＳ−ＳＣＣＨ受信チャネル数制御情報は、上位層データと同じ送信タイミングで送信されている。そのため、上位層データに関して送信タイミングを逸することがないという効果が得られる。
４．実施の形態４
上記実施の形態１に係る通信システムでは、ＨＳ−ＳＣＣＨのＣＣＳ情報をＲｅｄｕｎｄａｎｔ  Ａｒｅａ内のビットの組み合わせに設定することによって、ＨＳ−ＳＣＣＨ受信チャネル数制御情報がＨＳ−ＰＤＳＣＨを介して送信されている旨を移動局２に通知している。従って、基地局１は、ＨＳ−ＰＤＳＣＨ（ｆａｓｔ）を送信する場合には、使用する拡散符号のオフセット位置の指示値をこの範囲（１〜８）内で指定する必要がある。
これに対し、本実施の形態４に係る通信システムでは、ＨＳ−ＳＣＣＨの中にある、ＨＳ−ＰＤＳＣＨの送信データサイズを示すために使用されるＴＢＳ（Ｔｒａｎｓｐｏｒｔ−ｂｌｏｃｋ  ｓｉｚｅ）部分を、ＨＳ−ＰＤＳＣＨ（ｆａｓｔ）を送信する際に受信局２への通知のために使用する。
また、ＨＳ−ＰＤＳＣＨ（ｆａｓｔ）の送信データサイズは固定値に設定し、その値は予め移動局２に通知しておく。
図１７は、ＨＳ−ＳＣＣＨ（通常）及びＨＳ−ＳＣＣＨ（ｆａｓｔ）の作成フローを示す図である。規格書ＴＳ２１．２１２に記載されたフローとの差異は、Ｔｒａｎｓｐｏｒｔ−ｂｌｏｃｋ  ｓｉｚｅ  ｉｎｆｏｒｍａｔｉｏｎの入力ステップにおいて、ＨＳ−ＳＣＣＨ受信チャネル数制御情報がある旨の通知（Ｆａｓｔ  Ｓｉｇｎａｌｌｉｎｇ  Ｎｏｔｉｆｉｃａｔｉｏｎ）を入力できるようにしていることのみである。
ＨＳ−ＰＤＳＣＨ（ｆａｓｔ）を送信する際には、ＨＳ−ＳＣＣＨ（ｆａｓｔ）のＴＢＳ部分には、上位層データを送信する際には使用されないビットの組み合わせ（例えば１１１１１１）が設定される。
このように本実施の形態４に係る通信システムによれば、ＨＳ−ＳＣＣＨ（ｆａｓｔ）のＣＣＳ部分には、ＨＳ−ＳＣＣＨ（通常）と同様に、任意の値を設定できる。そのため、基地局１は、ＨＳ−ＰＤＳＣＨ（ｆａｓｔ）を送信する場合であっても、使用する拡散符号のオフセット位置の指示値を自由な値に設定できるという効果が得られる。
なお、上記実施の形態１〜４においては、ＨＳ−ＳＣＣＨのＣＣＳ部分やＴＢＳ部分のビット数はそのままで、移動局２の受信系における解釈を変更することにより、ＨＳ−ＳＣＣＨ受信チャネル数制御情報がＨＳ−ＰＤＳＣＨを介して送信されている旨を移動局２に通知しているが、通知専用の別フォーマット（及び各部分へのビット数の割り当て）を新たに追加するようにしてもよい。
また、通知専用のチャネルを下りリンクに追加し、ＨＳ−ＰＤＳＣＨとペアにして送信するようにしてもよい。このとき、通知専用のチャネルのフォーマットは、ＨＳ−ＳＣＣＨ（通常）と同じ時間長（２ｍｓｅｃ）にし、ＨＳ−ＳＣＣＨのｐａｒｔ１領域を使用することも可能である。これにより、移動局２の受信回路の一部を兼用できるので、移動局２の受信系の回路規模の増大が少なくて済むという効果がある。
さらに、ＨＳ−ＰＤＳＣＨに制御情報を多重して送信する場合に、通知用に使用するチャネル名は本発明の範囲において各種設定可能であり、上記各実施の形態の記載に限定されない。
また、上記実施の形態１〜４においては、ＨＳ−ＳＣＣＨ受信チャネル数を制御するための制御情報を基地局１から移動局２に送信しているが、基地局１によって移動局２を制御するための制御情報であって、従来技術においてＲＲＣ層処理を経由して送信されていた制御情報であれば、どのようなものであってもよい。
例えば、ＨＳ−ＳＣＣＨ受信チャネル数制御情報のような基地局１及び移動局２の双方のＲＲＣ層を介する制御情報ではなく、基地局１のＲＲＣ層から出力されて移動局２のＲＲＣ層を介して移動局２を制御する制御情報（例えば、規格書ＴＳ２５．２１４の６Ａ．１章（Ｇｅｎｅｒａｌ  ｐｒｏｃｅｄｕｒｅ）に記載されている制御情報、又は、同規格書の５．１．２．５Ａ章（Ｓｅｔｔｉｎｇ  ｏｆ  ｔｈｅ  ｕｐｌｉｎｋ  ＤＰＣＣＨ／ＨＳ−ＤＰＣＣＨ  ｐｏｗｅｒ  ｄｉｆｆｅｒｅｎｃｅ）に記載されている制御情報）等でもよい。この場合には、基地局の装置構成を示したブロック図（図６）において、ＨＳ−ＳＣＣＨ受信チャネル数制御情報９１６がＭＡＣ−ｈｓ制御部からＭＡＣ−ｈｓ処理部へ送られる代わりに、移動局２を制御するための制御情報は、ＲＲＣ層処理ブロック９０１から、ＲＲＣ層処理ブロック９０１とＭＡＣ−ｈｓ層処理ブロック９０３ｂとを結ぶＣｏｎｔｒｏｌ線を介して、ＭＡＣ−ｈｓ制御部へ送られ、さらに、ＭＡＣ−ｈｓ制御部からＭＡＣ−ｈｓ処理部へ制御信号９１６として送られ、その後は上記と同様の処理が実行される。移動局２は、上記実施の形態１〜４で説明した動作と同様の動作を行う。
さらに、上記実施の形態１〜４においては、基地局１及び移動局２の各ＲＲＣ層による処理を経由しない伝達方法によって、ＨＳ−ＳＣＣＨ受信チャネル数制御情報が基地局１から移動局２に伝達されているが、本発明による伝達方法と、基地局１及び移動局２の各ＲＲＣ層による処理を経由した従来の伝達方法とを兼用してもよい。例えば、ＨＳＤＰＡの最初の設定時には、従来の伝達方法によって、デフォルト値又は最大値としてのＨＳ−ＳＣＣＨ受信チャネル数を移動局２に設定し、その後の通信時には、本発明による伝達方法によって、ＨＳ−ＳＣＣＨ受信チャネル数の設定を変更してもよい。または、両伝達方法によって設定変更がされる場合には、本発明の伝達方法による値を移動局２で上書きして設定してもよい。
また、上記実施の形態１〜４において、ＨＳ−ＳＣＣＨ受信チャネル数制御情報には、チャネル番号やチャネル数だけでなく、どのタイミングからチャネル数を変更するかといった、関連する情報を付加することも可能である。
この発明は詳細に説明されたが、上記した説明は、すべての局面において、例示であって、この発明がそれに限定されるものではない。例示されていない無数の変形例が、この発明の範囲から外れることなく想定され得るものと解される。
【図１】
2005002269.tif 000003
【図２】
2005002269.tif 000004
【図３】
2005002269.tif 000005
【図４】
2005002269.tif 000006
【図５】
2005002269.tif 000007
【図６】
2005002269.tif 000008
【図７】
2005002269.tif 000009
【図８】
2005002269.tif 000010
【図９】
2005002269.tif 000011
【図１０】
2005002269.tif 000012
【図１１】
2005002269.tif 000013
【図１２】
2005002269.tif 000014
【図１３】
2005002269.tif 000015
【図１４】
2005002269.tif 000016
【図１５】
2005002269.tif 000017
【図１６】
2005002269.tif 000018
【図１７】
2005002269.tif 000019
【手続補正書】
【提出日】平成18年2月7日(2006.2.7)
【手続補正１】
【補正対象書類名】特許請求の範囲
【補正対象項目名】全文
【補正方法】変更
【補正の内容】
【特許請求の範囲】
【請求項１】
第１の物理層処理部、第１のＭＡＣ層処理部、第１のＲＬＣ層処理部、及び第１のＲＲＣ層処理部を有する送信局と、
第２の物理層処理部、第２のＭＡＣ層処理部、第２のＲＬＣ層処理部、及び第２のＲＲＣ層処理部を有する受信局と、
前記送信局と前記受信局とを繋ぐ、ＨＳ−ＳＣＣＨ及びＨＳ−ＰＤＳＣＨと
を備え、
前記送信局は、前記受信局を制御するための制御情報を、前記第１のＲＲＣ層処理部による処理を経由することなく、前記ＨＳ−ＰＤＳＣＨを介して、前記受信局に送信し、
前記受信局は、前記送信局から受信した前記制御情報に基づいて、前記第２のＲＲＣ層処理部による処理を経由することなく、所定の処理を実行する、通信システム。
【請求項２】
前記制御情報は、ＨＳ−ＳＣＣＨ受信チャネル数制御情報であり、
前記所定の処理は、ＨＳ−ＳＣＣＨ受信チャネル数の変更処理である、請求項１に記載の通信システム。
【請求項３】
前記第１の物理層処理部よりも上位のプロトコル層から前記第１の物理層処理部に送られてきた上位層データは、前記ＨＳ−ＰＤＳＣＨを介して、前記受信局に送信され、
前記制御情報は、前記上位層データが送信されるタイミングとは異なるタイミングで、前記受信局に送信される、請求項１に記載の通信システム。
【請求項４】
前記第１の物理層処理部よりも上位のプロトコル層から前記第１の物理層処理部に送られてきた上位層データは、前記ＨＳ−ＰＤＳＣＨを介して、前記受信局に送信され、
前記制御情報は、前記上位層データに多重されて、前記上位層データが送信されるタイミングと同じタイミングで、前記受信局に送信される、請求項１に記載の通信システム。
【請求項５】
前記制御情報は、第１のＨＳ−ＰＤＳＣＨを介して送信され、
前記上位層データは、前記第１のＨＳ−ＰＤＳＣＨとは異なる第２のＨＳ−ＰＤＳＣＨを介して送信される、請求項４に記載の通信システム。
【請求項６】
前記送信局から前記制御情報が送信されていることを示す通知情報が、前記送信局から前記ＨＳ−ＳＣＣＨを介して前記受信局に送信され、
前記第１のＨＳ−ＰＤＳＣＨは、前記通知情報によって明示的に特定される、請求項５に記載の通信システム。
【請求項７】
前記第２のＨＳ−ＰＤＳＣＨに連続しているＨＳ−ＰＤＳＣＨが、前記第１のＨＳ−ＰＤＳＣＨとして割り当てられる、請求項５に記載の通信システム。
【請求項８】
前記制御情報と前記上位層データとは、同一の前記ＨＳ−ＰＤＳＣＨを介して送信される、請求項４に記載の通信システム。
【請求項９】
前記第１の物理層処理部よりも上位のプロトコル層から前記第１の物理層処理部に送られてきた上位層データは、前記ＨＳ−ＰＤＳＣＨを介して、前記受信局に送信され、
前記送信局から前記ＨＳ−ＰＤＳＣＨを介してデータが送信されていることを示す情報が、前記送信局から前記ＨＳ−ＳＣＣＨを介して前記受信局に送信され、
前記情報は、前記データの送信のために使用されている前記ＨＳ−ＰＤＳＣＨを示すための部分を有しており、
前記送信局が前記受信局に前記制御情報を送信する場合には、前記データが前記上位層データであるときに前記部分に記述される内容とは異なる内容が前記部分に記述されることにより、前記制御情報が送信されていることが前記受信局に通知される、請求項１に記載の通信システム。
【請求項１０】
前記第１の物理層処理部よりも上位のプロトコル層から前記第１の物理層処理部に送られてきた上位層データは、前記ＨＳ−ＰＤＳＣＨを介して、前記受信局に送信され、
前記送信局から前記ＨＳ−ＰＤＳＣＨを介してデータが送信されていることを示す情報が、前記送信局から前記ＨＳ−ＳＣＣＨを介して前記受信局に送信され、
前記情報は、前記データのデータサイズを示すための部分を有しており、
前記制御情報のデータサイズは、固定値であって、予め前記受信局に通知されており、
前記送信局が前記受信局に前記制御情報を送信する場合には、前記データが前記上位層データであるときに前記部分に記述される内容とは異なる内容が前記部分に記述されることにより、前記制御情報が送信されていることが前記受信局に通知される、請求項１に記載の通信システム。
【請求項１１】
物理層処理部、ＭＡＣ層処理部、ＲＬＣ層処理部、及びＲＲＣ層処理部を備え、
受信局を制御するための制御情報を、前記ＲＲＣ層処理部による処理を経由することなく、所定のチャネルを介して、前記受信局に送信する、送信局。
【請求項１２】
物理層処理部、ＭＡＣ層処理部、ＲＬＣ層処理部、及びＲＲＣ層処理部を備え、
送信局から所定のチャネルを介して受信した制御情報に基づいて、前記ＲＲＣ層処理部による処理を経由することなく、所定の処理を実行する、受信局。
【手続補正２】
【補正対象書類名】明細書
【補正対象項目名】全文
【補正方法】変更
【補正の内容】
【発明の詳細な説明】
【技術分野】
【０００１】
本発明は、送信局（基地局）、受信局（移動局）、及び、基地局と移動局とを備えた通信システム（特に移動体無線通信システム）に関する。
【背景技術】
【０００２】
携帯電話に代表される移動体無線通信方式として、第三世代と呼ばれる通信規格が、ＩＴＵ（国際電気通信連合）においてＩＭＴ−２０００として採用されている。日本国では、Ｗ−ＣＤＭＡ（ＦＤＤ）（Wideband-Code Division Multiple Access：Frequency Division Duplex）方式が、２００１年から商用サービスが開始されている。Ｗ−ＣＤＭＡ（ＦＤＤ）方式は、各移動局において２Ｍｂｐｓ（Mega bit per second）程度の通信速度が得られることを目的としており、規格化団体３ＧＰＰ（3rd Generaton Partnership Project）によって、１９９９年にまとめられた規格のバージョンであるリリース１９９９（又はバージョン3.x.x）版として最初の仕様が決定されている。
【０００３】
一方、近年におけるインターネットの普及等に起因して、基地局から移動局への下りリンクのパケットデータ伝送速度をさらに高速化することが要望されている。これを実現するために、リリース１９９９対応の下りチャネルの他に、ＨＳＤＰＡ（High Speed Downlink Packet Access）対応の下りチャネルを新たに追加することが検討され、３ＧＰＰ規格の新たなバージョンであるリリース５（又はバージョン5.x.x）版として、リリース１９９９と互換性（バックワードコンパチビリティ）を確保しながら追加規定されている。
【０００４】
リリース５における物理層の各種チャネルのフォーマット及び送受信タイミングについては、規格書TS25.211（下記非特許文献１）の5.2章（Uplink physical channels）、5.3章（Downlink physical channels）、6.2章（Association of physical channels and physical signals）、及び7章（Timing relationship between physical channels）に記述されている。
【０００５】
【非特許文献１】3rd Generation Partnership Project、  "3GPP TS 25.211 V5.3.0 (2002-12)  Technical Specification  3rd Generation Partnership Project;  Technical Specification Group Radio Access Network;  Physical channels and mapping of transport channels  onto physical channels (FDD)    (Release 5)"、  5.2章、5.3章、6.2章、及び7章、  [online]、  2003年１月７日、  [2003年１月１５日検索]、  インターネット＜ＵＲＬ：http://www.3gpp.org/ftp/Specs/archive/25_series/25.211/＞
【０００６】
リリース５におけるトランスポート層からのデータに対する物理層における処理（符号化、多重化等）の流れについては、規格書TS25.212（下記非特許文献２）の4.5章（Coding for HS-DSCH）、及び4.6章（Coding for HS-SCCH）に記述されている。
【０００７】
【非特許文献２】3rd Generation Partnership Project、  "3GPP TS 25.212 V5.3.0 (2002-12)  Technical Specification  3rd Generation Partnership Project;  Technical Specification Group Radio Access Network;   Multiplexing and channel coding (FDD)  (Release 5)"、  4.5章及び4.6章、  [online]、  2003年１月７日、  [2003年１月１５日検索]、  インターネット＜ＵＲＬ：http://www.3gpp.org/ftp/Specs/archive/25_series/25.212/＞
【０００８】
リリース５におけるチャネル多重化方法については、規格書TS25.213（下記非特許文献３）の4章（Uplink spreading and modulation）、及び5章（Downlink spreading and modulation）によって、詳細に規定されている。
【０００９】
【非特許文献３】3rd Generation Partnership Project、  "3GPP TS 25.213 V5.2.0 (2002-09)  Technical Specification  3rd Generation Partnership Project;  Technical Specification Group Radio Access Network;  Spreading and modulation (FDD)  (Release 5)"、  4章及び5章、  [online]、  2002年９月２６日、  [2003年１月１５日検索]、  インターネット＜ＵＲＬ：http://www.3gpp.org/ftp/Specs/archive/25_series/25.213/＞
【００１０】
リリース１９９９における物理層の各種チャネルは、リリース５に包含される形で記述されている。
【００１１】
リリース１９９９対応として移動局に個別に割り当てられる物理層チャネルとしては、ＤＰＣＣＨ（Dedicated Physical Control CHannel）及びＤＰＤＣＨ（Dedicated Physical Data CHannel）がある。ＤＰＣＣＨは、物理層内における各種制御情報（同期用パイロット信号、送信電力制御信号等）が伝送されるチャネルである。ＤＰＤＣＨは、物理層の上のプロトコル層であるＭＡＣ層から物理層に送られてきたデータ（上位層データ）が伝送されるチャネルである。なお、ＭＡＣ層から物理層へ上位層データを送るときに使用されるチャネルは、トランスポートチャネルと呼ばれている。
【００１２】
ＨＳＤＰＡ用にリリース５で追加された下りリンク用の物理層チャネルとしては、共有チャネルであるＨＳ−ＰＤＳＣＨ（High Speed − Physical Downlink Shared CHannel）とＨＳ−ＳＣＣＨ（High Speed − Shared Control CHannel）とがある。ＨＳ−ＰＤＳＣＨは、リリース１９９９対応のＤＰＤＣＨと同様に、ＭＡＣ層から物理層に送られてきた上位層データが伝送されるチャネルである。ＨＳ−ＳＣＣＨは、基地局からＨＳ−ＰＤＳＣＨを介して移動局に上位層データを送信する時に、各種の制御情報（送信データの変調方式、パケットデータサイズ等）が伝送されるチャネルである。
【００１３】
ＨＳ−ＰＤＳＣＨの拡散率は１６（固定値）であり、一度の送信時に複数の拡散符号（即ち複数のチャネル）を１つの移動局に対して割り当てることができる。拡散符号の割り当て制御（いわゆるスケジューリング）は、基地局によって行われる。
【００１４】
ＨＳ−ＳＣＣＨの拡散率は２５６（固定値）である。ＨＳ−ＳＣＣＨは３つの領域（part1，part2，ＣＲＣ）に分かれている。part1領域には、ＨＳ−ＰＤＳＣＨ符号情報（Channelization-code-set information）、及びＨＳ−ＰＤＳＣＨ変調方式（Modulation scheme information）が含まれる。part2領域には、一度に送信するパケットの総データサイズ（Transport-block size information）、再送方式情報（Hybrid-ARQ process information）、及び新規データ判別表示（New data indicator）が含まれる（規格書TS25.212の4.6章参照）。
【００１５】
ＨＳＤＰＡ用に追加された上りリンク用の物理層チャネルとしては、ＨＳ−ＤＰＣＣＨ（High Speed − Dedicated Phyisical Control CHannel）がある。ＨＳ−ＤＰＣＣＨは、基地局から受信したデータに対する応答（ＡＣＫ／ＮＡＣＫ）等が伝送されるチャネルである。基地局から移動局へのデータ送信は、ＨＳ−ＳＣＣＨとＨＳ−ＰＤＳＣＨとをペアにして行われる。移動局は、基地局から送信されてきたＨＳ−ＳＣＣＨ及びＨＳ−ＰＤＳＣＨに関して、データに誤りがあるか否かを判定する。そして、その判定の結果（ＡＣＫ／ＮＡＣＫ）を、ＨＳ−ＤＰＣＣＨを介して基地局に送信する。
【００１６】
規格書TS25.308（下記非特許文献４）の5.2.2.1章（FDD Downlink Physical layer Model）には、各移動局が同時に受信可能なＨＳ−ＳＣＣＨのチャネル数は最大４であることが記載されている。実際に各移動局に割り当てられるチャネル数（≦４）は、基地局と移動局との間にＨＳＤＰＡチャネルを確立する際に予め設定される。あるいは、基地局と移動局との通信中に、基地局から移動局にチャネル数の変更が通知される。但し、一回のデータ送信タイミングで送信に使用されるＨＳ−ＳＣＣＨのチャネル数は１つである。
【００１７】
【非特許文献４】3rd Generation Partnership Project、  "3GPP TS 25.308 V5.3.0 (2002-12)  Technical Specification  3rd Generation Partnership Project;  Technical Specification Group Radio Access Network;  High Speed Downlink Packet Access (HSDPA);  Overall description;  Stage 2  (Release 5)"、  5.2.2.1章、  [online]、  2003年１月１４日、  [2003年１月１５日検索]、  インターネット＜ＵＲＬ：http://www.3gpp.org/ftp/Specs/archive/25_series/25.308/＞
【００１８】
また、規格書TS25.214（下記非特許文献５）の6A.1.1章（UE procedure for receiving HS-DSCH）には、基地局が連続してパケットを送信する場合には、同じＨＳ−ＳＣＣＨを用いて送信すべきことが規定されている。
【００１９】
【非特許文献５】3rd Generation Partnership Project、  "3GPP TS 25.214 V5.3.0 (2002-12)  Technical Specification  3rd Generation Partnership Project;  Technical Specification Group Radio Access Network;  Physical layer procedures (FDD)  (Release 5)"、  6A.1.1章、  [online]、  2003年１月１４日、  [2003年１月１５日検索]、  インターネット＜ＵＲＬ：http://www.3gpp.org/ftp/Specs/archive/25_series/25.308/＞
【００２０】
規格書TS25.301（下記非特許文献６）の5.1章（Overall protocol structure ）には、無線アクセス系（ＲＡＮ：Radio Access Network）におけるプロトコル層の関係が記載されている。第１層が物理層であり、第２層がＭＡＣ（Media Access Control）層及びＲＬＣ（Radio link control）層であり、第３層がＲＲＣ（Radio Resource Control）層である。
【００２１】
【非特許文献６】3rd Generation Partnership Project、  "3GPP TS 25.301 V5.2.0 (2002-09)  Technical Specification  3rd Generation Partnership Project;  Technical Specification Group Radio Access Network;  Radio Interface Protocol Architecture  (Release 5)"、  5.1章、  [online]、  2002年９月１３日、  [2003年１月１５日検索]、  インターネット＜ＵＲＬ：http://www.3gpp.org/ftp/Specs/archive/25_series/25.301/＞
【００２２】
基地局から移動局への各種制御情報（例えば、最大通信速度や拡散符号数等の無線資源の割り当て）の伝達は、基地局のＲＲＣ層と移動局のＲＲＣ層との間の情報伝達手段によって行なわれている。
【００２３】
例えば基地局のＭＡＣ層から移動局のＭＡＣ層への情報の伝達は、以下のようにして行われる。まず、基地局のＭＡＣ層から基地局のＲＲＣ層へ情報が送られ、次に、その情報は、基地局のＲＲＣ層から移動局のＲＲＣ層へデータとして送信された後、移動局のＲＲＣ層から移動局のＭＡＣ層へ送られる。
【００２４】
規格書TS25.301のFig.2を参照すると、基地局のＭＡＣ層から移動局のＭＡＣ層への情報は、制御情報として基地局のＭＡＣ層から基地局のＲＲＣ層へ送られ、データとして基地局のＲＲＣ層から基地局のＲＬＣ層へ送られ、データとして基地局のＲＬＣ層から基地局のＭＡＣ層へ送られ、データとして基地局のＭＡＣ層から基地局の物理層へ送られ、データとして基地局の物理層から移動局の物理層へ送信される。移動局は、基地局と逆の処理を行う。即ち、基地局から受信した情報は、データとして物理層からＭＡＣ層へ送られ、データとしてＭＡＣ層からＲＲＣ層へ送られ、制御情報としてＲＲＣ層からＭＡＣ層へ送られる。ここで、基地局及び移動局の各ＲＲＣ層における処理は、送受信のための手段（入れ物）を単に提供するだけであり、情報の加工等の処理が各ＲＲＣ層によって行われるわけではない。
【００２５】
また、基地局のＭＡＣ層によって移動局の物理層の状態を制御する場合にも、上記と同様に、基地局のＭＡＣ層からの制御情報は、基地局及び移動局の各ＲＲＣ層間のデータ送受信手段としての処理を経由して、移動局のＭＡＣ層まで送られる。その後、移動局のＭＡＣ層へ送られたデータは物理層制御信号として移動局の物理層へ送られ、移動局の物理層は、その物理層制御信号に基づいて状態の設定を変更する。
【００２６】
さらに、基地局のＲＲＣ層によって移動局の物理層の状態を制御する場合には、基地局のＲＲＣ層で発生した制御情報は、データとして基地局のＭＡＣ層へ入力され、基地局のＭＡＣ層から移動局のＲＲＣ層へ送られ、物理層制御信号として移動局のＲＲＣ層から移動局の物理層へ送られる。その後、移動局の物理層は、その物理層制御信号に基づいて状態を設定する。
【００２７】
基地局によって移動局を制御するための制御情報としては、ＨＳＤＰＡに関するものとしては、規格書TS25.214の6A.1章（General procedure）に記載されている、１）全ＨＳ−ＳＣＣＨ受信チャネル設定（HS-SCCH set to be monitored）、２）移動局から基地局へ送信される応答（ＡＣＫ／ＮＡＣＫ）の繰り返し数（Repetition factor of ACK/NACK;N_acknack_transmit）、３）移動局から基地局へ送信される下り伝搬環境指標（Channel Quality Indicator (CQI);feedback cycle k）、４）ＣＱＩ繰り返し数（N_cqi_transmit）、５）移動局でのＣＱＩ導出に使用される電力オフセット量（Measurement power offset）や、同規格書の5.1.2.5A章（Setting of the uplink DPCCH/HS-DPCCH power difference）に記載されている、送信時におけるＨＳ−ＤＰＣＣＨ電力オフセット量（ΔＨＳ−ＤＰＣＣＨ）等が挙げられる。
【発明の開示】
【発明が解決しようとする課題】
【００２８】
以下、全ＨＳ−ＳＣＣＨ受信チャネル設定を例にとり、従来技術の問題点を説明する。
【００２９】
ＨＳＤＰＡではパケット化されたデータを基地局と移動局との間で送受信するが、インターネットのウェブブラウジング等における利用状況を考えた場合、実際にパケットの送受信が行われている時間よりも、パケットの送受信が行われていない時間（例えば１つの表示画面に対応する一塊のパケットデータが送られてきた後にユーザが画面を閲覧している時間を含む）のほうがはるかに長い。
【００３０】
基地局から移動局にパケットデータが連続して送信されている間は、移動局が受信可能な状態に設定しなければならないＨＳ−ＳＣＣＨは１つで足りる。しかしながら、ひとたび下りリンクでパケット送信が途切れると、次のパケットが送信されるか、及びどのＨＳ−ＳＣＣＨが使用されるかは、規格では規定されておらず、基地局の自由な選択となっている。このため、基地局からのパケット送信が途切れると、移動局は、予め設定されている複数のＨＳ−ＳＣＣＨの全てを受信可能な状態に設定しなくてはならない。このように、従来の通信システムによると、パケットデータが送受信されていない状態において、移動局の受信能力を増やす必要があり、消費電力が大きいという問題があった。
【００３１】
また、１つの移動局に割り当てられるＨＳ−ＳＣＣＨ受信チャネル数は、基地局のＭＡＣ層によって制御可能である。従って、規格に従い基地局及び移動局の各ＲＲＣ層における処理を経由したデータ伝送手段によって、基地局から移動局に受信チャネル数の制御情報を通知することにより、移動局にＨＳ−ＳＣＣＨ受信チャネル数を変更させることは可能である。しかしながら、ＲＲＣ層における処理には比較的長時間（１００ｍｓ程度）を要する。しかも、基地局及び移動局の双方でＲＲＣ層における処理を経由しなければならないため、実際には２倍の処理時間がかかって、処理遅延が大きくなるという問題があった。一方、処理遅延を低減するためにＲＲＣ層の処理能力を増大したのでは、それに伴って、基地局及び移動局において装置の複雑化や回路規模の増大を招くという問題点があった。
【００３２】
同様に、ＨＳ−ＤＰＣＣＨ電力オフセット量（ΔＨＳ−ＤＰＣＣＨ）に関しては、伝播環境に応じて最適なオフセット量への素早い変更ができないため、余分な電力で送信することによって、干渉を増加させて伝送容量やスループットが減少したり、逆に、不足した電力で送信することによって、ＡＣＫ／ＮＡＣＫが基地局へ届かずにデータの再送回数が増加するという問題があった。
【００３３】
このように、基地局のＭＡＣ層より上位のプロトコル層から送られる各種移動局制御情報を送信する際に、基地局又は移動局のＲＲＣ層処理を介することによって制御遅延が大きくなり、その結果、移動局制御の最適化、スループットの向上、消費電力の低減等が妨げられるという問題があった。
【００３４】
本発明は、上記のような問題点を解決し、処理遅延の増大や装置の複雑化を伴うことなく、移動局に対する制御の遅延を低減し得る、通信システム、送信局、及び受信局を得ることを目的とする。
【課題を解決するための手段】
【００３５】
本発明に係る通信システムは、第１の物理層処理部、第１のＭＡＣ層処理部、第１のＲＬＣ層処理部、及び第１のＲＲＣ層処理部を有する送信局と、第２の物理層処理部、第２のＭＡＣ層処理部、第２のＲＬＣ層処理部、及び第２のＲＲＣ層処理部を有する受信局と、送信局と受信局とを繋ぐ、ＨＳ−ＳＣＣＨ及びＨＳ−ＰＤＳＣＨとを備え、送信局は、受信局を制御するための制御情報を、第１のＲＲＣ層処理部による処理を経由することなく、ＨＳ−ＰＤＳＣＨを介して、受信局に送信し、受信局は、送信局から受信した制御情報に基づいて、第２のＲＲＣ層処理部による処理を経由することなく、所定の処理を実行する。
【００３６】
本発明に係る送信局は、物理層処理部、ＭＡＣ層処理部、ＲＬＣ層処理部、及びＲＲＣ層処理部を備え、受信局を制御するための制御情報を、ＲＲＣ層処理部による処理を経由することなく、所定のチャネルを介して、受信局に送信する。
【００３７】
本発明に係る受信局は、物理層処理部、ＭＡＣ層処理部、ＲＬＣ層処理部、及びＲＲＣ層処理部を備え、送信局から所定のチャネルを介して受信した制御情報に基づいて、ＲＲＣ層処理部による処理を経由することなく、所定の処理を実行する。
【発明の効果】
【００３８】
本発明に係る通信システムによれば、処理遅延の増大や装置の複雑化を伴うことなく、受信局に対する制御の遅延を低減することが可能である。
【００３９】
本発明に係る送信局によれば、処理遅延の増大や装置の複雑化を伴うことなく、受信局に対する制御の遅延を低減することが可能である。
【００４０】
本発明に係る送信局によれば、処理遅延の増大や装置の複雑化を伴うことなく、受信局に対する制御の遅延を低減することが可能である。
【００４１】
この発明の目的、特徴、局面、および利点は、以下の詳細な説明と添付図面とによって、より明白となる。
【発明を実施するための最良の形態】
【００４２】
以下、基地局によって移動局を制御するための制御情報がＨＳ−ＳＣＣＨ受信チャネル数制御情報である場合を例にとり、本発明の実施の形態について説明する。
【００４３】
１．実施の形態１
以下、本発明の実施の形態１に係る通信システムについて説明する。以下の説明において使用される「チャネル」という用語は、通信経路を意味する場合と、通信されている情報やデータを意味する場合とが含まれる。
【００４４】
図１は、本発明の実施の形態１に係る通信システムの全体構成を模式的に示す図である。通信システムは、基地局１、移動局２、並びに、基地局１と移動局２とを繋ぐ下りリンク３，５及び上りリンク４，６を備えている。下りリンク３は、リリース１９９９対応の下りチャネル（ＤＰＣＣＨ及びＤＰＤＣＨ）である。上りリンク４は、リリース１９９９対応の上りチャネル（ＤＰＣＣＨ及びＤＰＤＣＨ）である。下りリンク５は、リリース５で追加されたＨＳＤＰＡ対応の下りチャネル（ＨＳ−ＳＣＣＨ及びＨＳ−ＰＤＳＣＨ）である。上りリンク６は、リリース５で追加されたＨＳＤＰＡ対応の上りチャネル（ＨＳ−ＤＰＣＣＨ）である。なお、リリース１９９９対応のチャネルのうち、基地局１と通信する複数の移動局２によって共通に使用されるチャネルの記述は省略している。
【００４５】
基地局１は、移動局２が受信可能な状態に設定しておくべきＨＳ−ＳＣＣＨの数を制御するための情報（ＨＳ−ＳＣＣＨ受信チャネル数制御情報）を、基地局１のＲＲＣ層による処理を経由することなく、ＨＳ−ＰＤＳＣＨを介して、移動局２に送信する。以下、本明細書では、この場合のＨＳ−ＰＤＳＣＨを「ＨＳ−ＰＤＳＣＨ（ｆａｓｔ）」と称する。基地局１からＨＳ−ＳＣＣＨ受信チャネル数制御情報が送信されていることを示す通知情報が、基地局１からＨＳ−ＳＣＣＨを介して移動局２に送信される。以下、本明細書では、この場合のＨＳ−ＳＣＣＨを「ＨＳ−ＳＣＣＨ（ｆａｓｔ）」と称する。
【００４６】
また、基地局１は、物理層よりも上位のプロトコル層から物理層に送られてきたデータ（上位層データ又は通常データ）を、ＨＳ−ＰＤＳＣＨを介して、移動局２に送信する。以下、本明細書では、この場合のＨＳ−ＰＤＳＣＨを「ＨＳ−ＰＤＳＣＨ（通常）」と称する。基地局１から上位層データが送信されていることを示す通知情報が、基地局１からＨＳ−ＳＣＣＨを介して移動局２に送信される。以下、本明細書では、この場合のＨＳ−ＳＣＣＨを「ＨＳ−ＳＣＣＨ（通常）」と称する。
【００４７】
ＨＳ−ＰＤＳＣＨ（通常）及びＨＳ−ＳＣＣＨ（通常）は、ペアとして、下りリンク５を介して移動局２へ無線送信される。同様に、ＨＳ−ＰＤＳＣＨ（ｆａｓｔ）及びＨＳ−ＳＣＣＨ（ｆａｓｔ）は、ペアとして、下りリンク５を介して移動局２へ無線送信される。
【００４８】
移動局２は、基地局１から受信したＨＳ−ＳＣＣＨがＨＳ−ＳＣＣＨ（通常）であるかＨＳ−ＳＣＣＨ（ｆａｓｔ）であるかを判別する。そして、ＨＳ−ＳＣＣＨ（通常）である場合は、従来と同様の受信処理によって、ＨＳ−ＰＤＳＣＨ（通常）を処理する。一方、ＨＳ−ＳＣＣＨ（ｆａｓｔ）である場合は、ＨＳ−ＰＤＳＣＨ（ｆａｓｔ）として受信処理して、ＨＳ−ＳＣＣＨ受信チャネル数の設定値を変更する。
【００４９】
また、移動局２は、基地局１から受信したＨＳ−ＰＤＳＣＨ（通常）又はＨＳ−ＰＤＳＣＨ（ｆａｓｔ）に関して、データに誤りがあるか否かを判定する。そして、その判定の結果に応じて、ＡＣＫ信号又はＮＡＣＫ信号を、上りリンク６（ＨＳ−ＤＰＣＣＨ）を介して基地局１に無線送信する。
【００５０】
図２は、図１に示した下りリンク５における、ＨＳＤＰＡ対応チャネルの送信タイミングの一例を示すタイミングチャートである。図２には、上位層データに対応するパケット（ＨＳ−ＰＤＳＣＨ（通常））と、ＨＳ−ＳＣＣＨ受信チャネル数制御情報に対応するパケット（ＨＳ−ＰＤＳＣＨ（ｆａｓｔ））とが、拡散符号を用いて多重され、基地局１から物理層共有チャネルであるＨＳ−ＰＤＳＣＨを介して移動局２に無線送信されている状況が示されている。本実施の形態１に係る通信システムでは、ＨＳ−ＳＣＣＨ受信チャネル数制御情報は、上位層データが送信されるタイミングとは異なるタイミングで送信される。
【００５１】
移動局２は、ＨＳ−ＰＤＳＣＨの１度の送信時に使用する拡散符号数（即ち多重数）及び変調方式を、ＨＳ−ＰＤＳＣＨを受信する前に予め分かっている必要がある。そのため、ＨＳ−ＳＣＣＨのpart1領域がＨＳ−ＰＤＳＣＨよりも先に復調されるように、ＨＳ−ＳＣＣＨがＨＳ−ＰＤＳＣＨよりも先行して基地局１から移動局２へ送信される。
【００５２】
図２に示した例では、ＨＳ−ＰＤＳＣＨ（通常）は、拡散符号を５つ用いて、同時に送信されている。一方、移動局２へのＨＳ−ＳＣＣＨ受信チャネル数制御情報の伝達に必要な送信ビット数は少なくてよいので、ＨＳ−ＰＤＳＣＨ（ｆａｓｔ）は、拡散符号を１つだけ用いて送信されている。また、図２において、ＨＳ−ＳＣＣＨ受信チャネル数制御情報（ＨＳ−ＰＤＳＣＨ（ｆａｓｔ））と、上位層データ（ＨＳ−ＰＤＳＣＨ（通常）１）とは、同一のＨＳ−ＰＤＳＣＨを介して送信されている。即ち、ＨＳ−ＰＤＳＣＨ（ｆａｓｔ）は、ＨＳ−ＰＤＳＣＨ（通常）を送信する際に使用された５つの拡散符号のうちの１つを用いて送信されている。
【００５３】
ＨＳ−ＳＣＣＨ受信チャネル数制御情報はビット数が少ないので、ＨＳ−ＰＤＳＣＨ（ｆａｓｔ）の拡散率（ＳＦ：Spreading Factor）を、ＨＳ−ＰＤＳＣＨ（通常）の拡散率よりも大きく設定できる。この場合のＨＳ−ＰＤＳＣＨ（ｆａｓｔ）のスロットフォーマットの一例を図３に示す。図３に示した例では、ＨＳ−ＰＤＳＣＨ（ｆａｓｔ）の拡散率は１２８である。なお、規格書TS25.211のTable26を参照すると、ＨＳ−ＰＤＳＣＨ（通常）の拡散率は１６である。ＨＳ−ＰＤＳＣＨ（ｆａｓｔ）は拡散率が大きいので、移動局２における受信に必要なＳ／Ｎ比であるＥｂ／Ｎｏを確保しやすい。従って、下りリンクの電波状況が同一の環境下においても、ＨＳ−ＰＤＳＣＨ（ｆａｓｔ）に関する送信パワーは、ＨＳ−ＰＤＳＣＨ（通常）に関する送信パワーよりも小さくて済む。よって、ＨＳ−ＰＤＳＣＨ（ｆａｓｔ）とＨＳ−ＰＤＳＣＨ（通常）とで、異なる送信パワーを設定することが可能である。送信パワーの設定の仕方としては、絶対値を用いた設定でもよく、又は、あるチャネルを基準としてオフセット値を用いた設定でもよい。
【００５４】
また、図２において、ＨＳ−ＰＤＳＣＨ（ｆａｓｔ）は、ＨＳ−ＰＤＳＣＨ（通常）と同様に、送信するデータを収納するための入れ物として使用されている。従って、説明の便宜上、図２では、ＨＳ−ＰＤＳＣＨ（通常）とＨＳ−ＰＤＳＣＨ（ｆａｓｔ）とに区別して表しているが、実際には同じチャネルであると考えてよい。
【００５５】
但し、ＨＳ−ＳＣＣＨ受信チャネル数制御情報は送信に必要なビット数が少ないので、図３に示したように、ＨＳ−ＰＤＳＣＨ（通常）よりも少ない送信ビット数（固定値）を追加的に規定しておく。ＨＳ−ＰＤＳＣＨ（ｆａｓｔ）の送信ビット数を固定値として設定し、その送信ビット数を予め移動局２に通知しておくことにより、ＨＳ−ＰＤＳＣＨ（ｆａｓｔ）の送信の度にその送信ビット数を移動局２に通知する必要がなくなる。その結果、基地局１及び移動局２の構成が複雑化することを回避できる。
【００５６】
図４は、ＨＳ−ＳＣＣＨ受信チャネル数制御情報がＨＳ−ＰＤＳＣＨ（ｆａｓｔ）を用いて送信されていることを移動局２に通知するための方法の一例を示す図である。
【００５７】
図４の（Ｂ）には、ＨＳ−ＳＣＣＨ（ｆａｓｔ）のフォーマットが示されている。図４の（Ｂ）の記載方法によると、ＨＳ−ＳＣＣＨ（ｆａｓｔ）のフォーマットは、規格書TS25.211に記載されているＨＳ−ＳＣＣＨ（通常）のフォーマットとは異なっているように見えるが、後述する図５を参照することによって両者は内容的には同じであることが分かるので、ここでの詳細な説明は省略する。
【００５８】
図４の（Ｃ）には、ＨＳ−ＳＣＣＨ受信チャネル数制御情報がＨＳ−ＰＤＳＣＨ（ｆａｓｔ）を用いて送信されている状況が示されている。
【００５９】
図４の（Ａ）には、ＨＳ−ＳＣＣＨのpart1領域に記述されるＣＣＳ（Channelization-Code-Set）情報に関する７ビットの組み合わせが示されている。ＣＣＳ情報は、ＨＳ−ＰＤＳＣＨの送信の際に使用する拡散符号に関する割り当て情報である。図４の（Ａ）の縦軸は前半３ビット分の組み合わせを表しており、横軸は後半４ビット分の組み合わせを表している。枠内の上段の数字は、一回の送信時に使用される拡散符号数を示している。枠内の下段の数字は、拡散符号を指定する際のオフセット位置（１〜１５）を示している。例えば、縦軸が３で横軸が４の場合は、一回の送信時に４つの拡散符号が用いられ、その拡散符号を指定する際のオフセットの先頭は５番目から始まることを示している。即ち、この場合は、拡散率１６の拡散符号のうち、５番から８番までの拡散符号が用いられることになる。
【００６０】
図４の（Ａ）から分かるように、上位層データの送信時には使用されないビットの組み合わせ（Redundant Area）が存在する。ＨＳ−ＳＣＣＨのＣＣＳ情報がRedundant Area内の組み合わせである場合、移動局２は、上位層データが送信されているのではなく、ＨＳ−ＳＣＣＨ受信チャネル数制御情報が送信されているものと判断して、対応する受信処理を行なう。但し、Redundant Areaに関しては拡散符号のオフセット位置が１〜８に対応するため、基地局１は、ＨＳ−ＰＤＳＣＨ（ｆａｓｔ）を送信する場合には、使用する拡散符号のオフセット位置の指示値をこの範囲（１〜８）内で指定する。
【００６１】
これにより、ＨＳ−ＳＣＣＨ受信チャネル数制御情報が送信されている旨を移動局２に通知するためのビットを別途に設ける必要がなく、ＣＣＳ情報の解釈の変更のみで通知が可能であることから、移動局２の設計変更が少なくて済むという効果が得られる。
【００６２】
図５は、Redundant Areaを用いてＨＳ−ＳＣＣＨ受信チャネル数制御情報を送信できるようにした場合を含めて、ＨＳ−ＳＣＣＨ（通常）及びＨＳ−ＳＣＣＨ（ｆａｓｔ）の作成フローを示す図である。規格書TS25.212に記載されたフローとの差異は、ＣＣＳ入力ステップにおいて、ＨＳ−ＳＣＣＨ受信チャネル数制御情報がある旨の通知（Fast Signalling Notification）を入力できるようにしていることのみである。
【００６３】
上位層データを送信する場合には従来と同様のＣＣＳのビットの組み合わせを用い、ＨＳ−ＳＣＣＨ受信チャネル数制御情報を送信する場合にはRedundant Area内のビットの組み合わせを用いて、ＨＳ−ＳＣＣＨを作成する。その他の処理については、規格書TS25.212に規定されている処理フローと同じであるので、ここでの説明は省略する。
【００６４】
以上のように、ＨＳ−ＳＣＣＨのチャネル構成はなんら従来技術と変わることがなく、ＣＣＳの解釈が追加されているのみである。従って、移動局２は従来技術と同様の受信処理を行なうことができ、移動局２が有するＨＳ−ＳＣＣＨ受信装置の構成もほとんど複雑化しないという効果がある。
【００６５】
図６は、本実施の形態１に係る基地局１の装置構成を示すブロック図である。なお、本発明は下りリンクに関する発明であり、上りリンクに関しては従来技術と同じである。図６では、本発明の説明に不要な処理ブロックの開示は省略している。
【００６６】
基地局１は、無線ネットワーク制御装置（ＲＮＣ）１ａと、基地局装置（Ｎｏｄｅ−Ｂ）１ｂとを備えている。無線ネットワーク制御装置１ａは、ＲＲＣ層処理ブロック９０１、ＲＬＣ層処理ブロック９０２、及びＭＡＣ−ｄ層処理ブロック９０３ａを備えている。基地局装置１ｂは、ＭＡＣ−ｈｓ層処理ブロック９０３ｂ及び物理層処理ブロック９０４を備えている。図６に示すようにリリース５対応であるＨＳＤＰＡが適用される場合には、リリース１９９９対応の装置とは異なり、ＭＡＣ層処理ブロックがＭＡＣ−ｄ層処理ブロック９０３ａとＭＡＣ−ｈｓ層処理ブロック９０３ｂとに分割されている。そして、各移動局２に対するＨＳ−ＳＣＣＨ受信チャネル数の割り当ては、ＭＡＣ−ｈｓ層処理ブロック９０３ｂによって行われる。
【００６７】
まず、無線ネットワーク制御装置１ａにおいて、ＲＲＣ層よりも上位のプロトコル層から送られてきたデータ９１０が、ＲＬＣ層処理ブロック９０２に入力される。また、ＲＲＣ層処理ブロック９０１から送られてきたデータ９１１も、ＲＬＣ層処理ブロック９０２に入力される。データ９１０，９１１は、ＲＬＣ層処理ブロック９０２から出力されて、ＭＡＣ−ｄ層処理ブロック９０３ａに入力される。
【００６８】
リリース１９９９対応の物理層チャネル（ＤＰＤＣＨ）を使用して移動局２に送信されるデータ９１２は、ＭＡＣ−ｄ層処理ブロック９０３ａから出力されて、Ｒ１９９９物理層処理ブロック９０４ａに入力される。そして、Ｒ１９９９物理層処理ブロック９０４ａによって所定の処理が行われることによってＤＰＤＣＨ９１４となり、ＤＰＤＣＨ９１４はチャネル多重器９０５に送られる。
【００６９】
一方、ＨＳＤＰＡ対応チャネル（ＨＳ−ＰＤＳＣＨ）を使用して移動局２に送信されるデータ９１３は、ＭＡＣ−ｄ層処理ブロック９０３ａから出力されて、ＭＡＣ−ｈｓ層処理ブロック９０３ｂ内のＭＡＣ−ｈｓ処理部に入力される。ＭＡＣ−ｈｓ処理部から出力されたデータ９１８は、ＨＳＤＰＡ物理層処理ブロック９０４ｂによって所定の処理が行われることにより、ＨＳ−ＰＤＳＣＨ９２０となる。これにより、ＨＳ−ＰＤＳＣＨ（通常）が得られる。ＨＳ−ＰＤＳＣＨ９２０は、チャネル多重器９０５に送られる。また、ＭＡＣ−ｈｓ処理部によって送信タイミングや変調方法等が決定され、Associated Signalling９１７としてＨＳＤＰＡ物理層処理ブロック９０４ｂに入力される。ＨＳＤＰＡ物理層処理ブロック９０４ｂは、Associated Signalling９１７に基づいてＨＳ−ＳＣＣＨ９１９を生成して出力する。ＨＳ−ＳＣＣＨ９１９は、チャネル多重器９０５に送られる。
【００７０】
チャネル多重器９０５から出力されたチャネルは、送信部９０６において公知の技術によって無線周波数信号に変換された後、アンテナ９０７から移動局２に向けて無線送信される。
【００７１】
以上の動作は、従来技術と同じである。
【００７２】
次に、ＨＳ−ＳＣＣＨ受信チャネル数制御情報９１６を送信する場合の動作について説明する。ＭＡＣ−ｈｓ制御部によって生成されたＨＳ−ＳＣＣＨ受信チャネル数制御情報９１６は、ＭＡＣ−ｈｓ処理部に送られる。ＭＡＣ−ｈｓ処理部は、上位層から送られてきたデータ９１３と、ＨＳ−ＳＣＣＨ受信チャネル数制御情報９１６とに関して、優先度を比較する。そして、ＭＡＣ−ｈｓ処理部は、送信タイミングや変調方法等を決定して、Assosiated Signalling９１７としてＨＳＤＰＡ物理層処理ブロック９０４ｂに通知する。ＨＳＤＰＡ物理層処理ブロック９０４ｂは、図４，５に示したように、Redundant Area内のビットの組み合わせを用いてＣＣＳ情報を作成し、ＨＳ−ＳＣＣＨのpart1領域に設定する。これにより、ＨＳ−ＳＣＣＨ（ｆａｓｔ）が作成される。
【００７３】
次に、ＨＳ−ＳＣＣＨ受信チャネル数制御情報９１６は、データ９１８として、ＭＡＣ−ｈｓ処理部からＨＳＤＰＡ物理層処理ブロック９０４ｂへ入力される。データ９１８は、ＨＳＤＰＡ物理層処理ブロック９０４ｂによって所定の処理が行われることにより、ＨＳ−ＰＤＳＣＨ９２０となる。これにより、ＨＳ−ＰＤＳＣＨ（ｆａｓｔ）が作成される。
【００７４】
ＨＳ−ＰＤＳＣＨ（ｆａｓｔ）は、チャネル多重器９０５によって、図２に示したようにＨＳ−ＰＤＳＣＨ（通常）と多重され、送信部９０６及びアンテナ９０７を介して移動局２に向けて無線送信される。
【００７５】
図７は、図６に示したＭＡＣ−ｈｓ処理部が送信順序を決定するための処理フローの一例を示したフローチャートである。
【００７６】
まず、ステップＳＰ１１において、ＭＡＣ−ｈｓ処理部は、送信を必要とする上位層からのデータ９１３が存在するか否かを判定する。
【００７７】
送信を必要とする上位層からのデータ９１３が存在しない場合（即ち、ステップＳＰ１１における判定の結果が「ＮＯ」である場合）はステップＳＰ１２に進み、ＭＡＣ−ｈｓ処理部は、ＭＡＣ−ｈｓ制御部からＨＳ−ＳＣＣＨ受信チャネル数制御情報９１６が入力されているか否かを判定する。
【００７８】
ＨＳ−ＳＣＣＨ受信チャネル数制御情報９１６が入力されていない場合（即ち、ステップＳＰ１２における判定の結果が「ＮＯ」である場合）はステップＳＰ１４に進み、ＭＡＣ−ｈｓ処理部は、送信が完了しているかを判定する。
【００７９】
ステップＳＰ１２における判定の結果、ＨＳ−ＳＣＣＨ受信チャネル数制御情報９１６が入力されている場合（即ち、ステップＳＰ１２における判定の結果が「ＹＥＳ」である場合）はステップＳＰ１３に進み、ＭＡＣ−ｈｓ処理部は、ＨＳ−ＳＣＣＨ受信チャネル数制御情報９１６をＨＳＤＰＡ物理層処理ブロック９０４ｂへ送る。これにより、ＨＳ−ＰＤＳＣＨ（ｆａｓｔ）が移動局２に送信される。その後、ＭＡＣ−ｈｓ処理部は、ステップＳＰ１４において、送信が完了したか否かの判定を行う。
【００８０】
ステップＳＰ１１における判定の結果、送信を必要とする上位層からのデータ９１３が存在する場合（即ち、ステップＳＰ１１における判定の結果が「ＹＥＳ」である場合）はステップＳＰ１５に進み、ＭＡＣ−ｈｓ処理部は、ＭＡＣ−ｈｓ制御部からＨＳ−ＳＣＣＨ受信チャネル数制御情報９１６が入力されているか否かを判定する。
【００８１】
ＨＳ−ＳＣＣＨ受信チャネル数制御情報９１６が入力されていない場合（即ち、ステップＳＰ１５における判定の結果が「ＮＯ」である場合）はステップＳＰ１７に進み、ＭＡＣ−ｈｓ処理部は、上位層からのデータ９１３をＨＳＤＰＡ物理層処理ブロック９０４ｂへ送る。これにより、ＨＳ−ＰＤＳＣＨ（通常）が移動局２に送信される。その後、ＭＡＣ−ｈｓ処理部は、ステップＳＰ１４において、送信が完了したか否かの判定を行う。
【００８２】
ステップＳＰ１５における判定の結果、ＨＳ−ＳＣＣＨ受信チャネル数制御情報９１６が入力されている場合（即ち、ステップＳＰ１５における判定の結果が「ＹＥＳ」である場合）はステップＳＰ１６に進み、ＭＡＣ−ｈｓ処理部は、上位層からのデータ９１３及びＨＳ−ＳＣＣＨ受信チャネル数制御情報９１６のどちらを優先して送信するかを決定する。つまり、上位層からのデータ９１３よりもＨＳ−ＳＣＣＨ受信チャネル数制御情報９１６のほうが優先度が高いか否かを判定する。
【００８３】
ＨＳ−ＳＣＣＨ受信チャネル数制御情報９１６の送信を優先する場合（即ち、ステップＳＰ１６における判定の結果が「ＹＥＳ」である場合）はステップＳＰ１３に進み、ＭＡＣ−ｈｓ処理部は、ＨＳ−ＳＣＣＨ受信チャネル数制御情報９１６をＨＳＤＰＡ物理層処理ブロック９０４ｂへ送る。これにより、ＨＳ−ＰＤＳＣＨ（ｆａｓｔ）が移動局２に送信される。その後、ＭＡＣ−ｈｓ処理部は、ステップＳＰ１４において、送信が完了したか否かの判定を行う。
【００８４】
上位層からのデータ９１３の送信を優先する場合（即ち、ステップＳＰ１６における判定の結果が「ＮＯ」である場合）はステップＳＰ１７に進み、ＭＡＣ−ｈｓ処理部は、上位層からのデータ９１３をＨＳＤＰＡ物理層処理ブロック９０４ｂへ送る。これにより、ＨＳ−ＰＤＳＣＨ（通常）が移動局２に送信される。その後、ＭＡＣ−ｈｓ処理部は、ステップＳＰ１４において、送信が完了したか否かの判定を行う。
【００８５】
ステップＳＰ１４における判定の結果、全ての送信が完了していない場合（即ち、ステップＳＰ１４における判定の結果が「ＮＯ」である場合）は、ステップＳＰ１１に戻る。一方、全ての送信が完了している場合（即ち、ステップＳＰ１４における判定の結果が「ＹＥＳ」である場合）は、処理を終了する。
【００８６】
例えば、上位層からのデータ９１３とＨＳ−ＳＣＣＨ受信チャネル数制御情報９１６とがあり、上位層からのデータ９１３の送信が優先される場合には、ステップＳＰ１１，ＳＰ１５，ＳＰ１６，ＳＰ１７，ＳＰ１４における各処理がこの順に実行され、この場合のタイミングチャートは図２に示した通りとなる。
【００８７】
図８は、本実施の形態１に係る移動局２の装置構成を示すブロック図である。図６に示した基地局１と同様に、上りリンクに関しては従来技術と同じであり、図８では、本発明の説明に不要な処理ブロックの開示は省略している。また、リリース１９９９規格に対応する動作は、図６に示した基地局１における処理と逆の流れになるだけなので、その動作の説明は省略する。よって、以下では、ＨＳＤＰＡに関係する構成及び動作について説明する。
【００８８】
また、本実施の形態１では、ＨＳ−ＳＣＣＨのＣＣＳ部分の解釈を変更することによって、ＨＳ−ＳＣＣＨ受信チャネル数制御情報を送るようにしている。そのため、移動局２の装置構成は従来技術と同様になるので、チャネルの説明においては「通常」及び「ｆａｓｔ」という区別は特にしていない。
【００８９】
移動局２は、ＲＲＣ層処理ブロック１０１、ＲＬＣ層処理ブロック１０２、ＭＡＣ−ｄ層処理ブロック１０３ａ、ＭＡＣ−ｈｓ層処理ブロック１０３ｂ、及び物理層処理ブロック１０４を備えている。
【００９０】
基地局１のアンテナ９０７から無線送信された信号は、移動局２のアンテナ１０７によって受信された後、受信部１０６において公知の技術によって復調され、さらに、チャネル分離部１０５において、符号分離によって各々のチャネルに分離される。
【００９１】
ＨＳ−ＳＣＣＨ１１９及びＨＳ−ＰＤＳＣＨ１２０は、ＨＳＤＰＡ物理層処理ブロック１０４ｂによって処理される。受信タイミングとしては、ＨＳ−ＰＤＳＣＨ１２０よりもＨＳ−ＳＣＣＨ１１９のほうが先に受信される。ＨＳＤＰＡ物理層処理ブロック１０４ｂは、ＨＳ−ＳＣＣＨ１１９のpart1領域に記述されているＣＣＳ情報を解読し、ＣＣＳ情報が、従来のビットの組み合わせであるか、又はRedundant Area内のビットの組み合わせであるかを判定する。
【００９２】
ＣＣＳ情報が従来のビットの組み合わせである場合（即ち、上位層データを受信した場合）は、ＨＳ−ＰＤＳＣＨ１２０のデータ１１８が、ＨＳＤＰＡ物理層処理ブロック１０４ｂからＭＡＣ−ｈｓ処理部に入力される。ＭＡＣ−ｈｓ処理部から出力されたデータ１０８は、ＭＡＣ−ｄ層処理ブロック１０３ａ及びＲＬＣ層処理ブロック１０２をこの順に通って、上位層データ１１０として上位のプロトコル層へ送られる。
【００９３】
一方、ＣＣＳ情報がRedundant Area内のビットの組み合わせである場合（即ち、ＨＳ−ＳＣＣＨ受信チャネル数制御情報を受信した場合）は、ＨＳＤＰＡ物理層処理ブロック１０４ｂによってＨＳ−ＰＤＳＣＨ１２０から取り出されたデータ１１８は、ＨＳ−ＳＣＣＨ受信チャネル数制御情報１１６として、ＭＡＣ−ｈｓ処理部からＭＡＣ−ｈｓ制御部に送られる。ＨＳ−ＳＣＣＨ受信チャネル数制御情報１１６は、物理層を制御するための制御情報の一つとして、ＭＡＣ−ｈｓ制御部から物理層制御線１２１を介してＨＳＤＰＡ物理層処理ブロック１０４ｂに送られる。ＨＳＤＰＡ物理層処理ブロック１０４ｂは、ＨＳ−ＳＣＣＨ受信チャネル数制御情報１１６に基づいて、ＨＳ−ＳＣＣＨ受信チャネル数の設定を変更する。
【００９４】
ＨＳ−ＳＣＣＨ１１９及びＨＳ−ＰＤＳＣＨ１２０は、１回あたりの送信に要する時間が比較的短い（２ｍｓｅｃ程度）。また、それらをＭＡＣ−ｈｓ層処理ブロック１０３ｂ及び物理層処理ブロック１０４によって処理するために要する時間も比較的短い（ｍｓｅｃオーダー）。従って、ＲＲＣ層処理ブロック１０１による処理を経由してＨＳ−ＳＣＣＨ１１９及びＨＳ−ＰＤＳＣＨ１２０を処理する場合と比較すると、基地局１から移動局２へ高速に制御情報（上記の例ではＨＳ−ＳＣＣＨ受信チャネル数制御情報）を送信することができる。
【００９５】
図９は、図８に示したＨＳＤＰＡ物理層処理ブロック１０４ｂ及びＭＡＣ−ｈｓ処理ブロック１０３ｂにおける処理フローの一例を示したフローチャートである。
【００９６】
まず、ステップＳＰ２１においてＨＳ−ＳＣＣＨ１１９が復調された後、ステップＳＰ２２において、ＨＳＤＰＡ物理層処理ブロック１０４ｂは、ＨＳ−ＳＣＣＨ１１９のpart1領域に記述されているＣＣＳ情報が、Redundant Area内のビットの組み合わせであるか否かを判定する。即ち、受信したＨＳ−ＳＣＣＨ１１９がＨＳ−ＳＣＣＨ（通常）であるかＨＳ−ＳＣＣＨ（ｆａｓｔ）であるかを判定する。
【００９７】
ＣＣＳ情報がRedundant Area内のビットの組み合わせである場合（即ち、ステップＳＰ２２における判定の結果が「ＹＥＳ」である場合）はステップＳＰ２３に進み、ＨＳＤＰＡ物理層処理ブロック１０４ｂは、ＨＳ−ＳＣＣＨ１１９内に含まれている各種の情報（ＨＳ−ＰＤＳＣＨ１２０のデータサイズや変調方式等に関する情報）に従って、ＨＳ−ＰＤＳＣＨ１２０を復調する。
【００９８】
次に、ステップＳＰ２４において、ＨＳＤＰＡ物理層処理ブロック１０４ｂは、ＨＳ−ＰＤＳＣＨ１２０を正しく復調できたか否かを判定する。
【００９９】
正しく復調できた場合（即ち、ステップＳＰ２４における判定の結果が「ＹＥＳ」である場合）はステップＳＰ２５に進み、ＨＳＤＰＡ物理層処理ブロック１０４ｂは、復調によって得られたデータ１１８をＭＡＣ−ｈｓ層処理ブロック１０３ｂに送る。また、ＭＡＣ−ｈｓ層処理ブロック１０３ｂ内においては、ＭＡＣ−ｈｓ処理部からＭＡＣ−ｈｓ制御部へＨＳ−ＳＣＣＨ受信チャネル数制御情報１１６が送られる。さらに、ＨＳ−ＳＣＣＨ受信チャネル数制御情報１１６は、ＭＡＣ−ｈｓ制御部からＨＳＤＰＡ物理層処理ブロック１０４ｂに送られる。
【０１００】
次に、ステップＳＰ２６において、ＨＳＤＰＡ物理層処理ブロック１０４ｂは、ＨＳ−ＳＣＣＨ受信チャネル数制御情報１１６に基づいて、ＨＳ−ＳＣＣＨ受信チャネル数の設定を変更する。
【０１０１】
次に、ステップＳＰ２７において、ＨＳ−ＳＣＣＨ１１９及びＨＳ−ＰＤＳＣＨ１２０の受信が完了したか否かが判定される。
【０１０２】
一方、ステップＳＰ２２における判定の結果、ＣＣＳ情報が従来のビットの組み合わせである場合（即ち、ステップＳＰ２２における判定の結果が「ＮＯ」である場合）はステップＳＰ２８に進み、ＨＳＤＰＡ物理層処理ブロック１０４ｂは、ＨＳ−ＳＣＣＨ１１９内に含まれている各種の情報（ＨＳ−ＰＤＳＣＨ１２０のデータサイズや変調方式等に関する情報）に従って、ＨＳ−ＰＤＳＣＨ１２０を復調する。
【０１０３】
次に、ステップＳＰ２９において、ＨＳＤＰＡ物理層処理ブロック１０４ｂは、ＨＳ−ＰＤＳＣＨ１２０を正しく復調できたか否かを判定する。
【０１０４】
正しく復調できた場合（即ち、ステップＳＰ２９における判定の結果が「ＹＥＳ」である場合）は、ＭＡＣ−ｈｓ層処理ブロック１０３ｂによる処理（ステップＳＰ３０）、及び、ＭＡＣ−ｄ層処理ブロック１０３ａによる処理（ステップＳＰ３１）が、この順に実行される。次に、ステップＳＰ３２において、ＲＬＣ層処理ブロック１０２による処理が行われた後、上位層データ１１０が上位のプロトコル層へ送られる。次に、ステップＳＰ２７において、ＨＳ−ＳＣＣＨ１１９及びＨＳ−ＰＤＳＣＨ１２０の受信が完了したか否かが判定される。
【０１０５】
また、ステップＳＰ２４，ＳＰ２９における判定の結果、ＨＳ−ＰＤＳＣＨ１２０を正しく復調できなかった場合（即ち、ステップＳＰ２４，ＳＰ２９における判定の結果が「ＮＯ」である場合）は、ステップＳＰ２１に戻る。
【０１０６】
ステップＳＰ２７における判定の結果、全ての受信が完了していない場合（即ち、ステップＳＰ２７における判定の結果が「ＮＯ」である場合）は、ステップＳＰ２１に戻る。一方、全ての受信が完了している場合（即ち、ステップＳＰ２７における判定の結果が「ＹＥＳ」である場合）は、処理を終了する。
【０１０７】
なお、図９には記載していないが、ステップＳＰ２３，ＳＰ２８においてＨＳ−ＰＤＳＣＨ１２０を正しく復調できた場合には、移動局２からＨＳ−ＤＰＣＣＨを介して基地局１へＡＣＫ信号が送信される。一方、正しく復調できなかった場合にはＮＡＣＫ信号が送信される。
【０１０８】
上記のように本実施の形態１に係る通信システムによれば、ＲＲＣ層処理ブロック１０１による処理を経由してＨＳ−ＳＣＣＨ１１９及びＨＳ−ＰＤＳＣＨ１２０を処理する場合と比較すると、基地局１から移動局２へ高速に制御情報（上記の例ではＨＳ−ＳＣＣＨ受信チャネル数制御情報）を送信できる。その結果、本実施の形態１に係る通信システムによれば、下りリンクにおけるパケットの送信状況に合わせて、無駄な受信動作を行わないよう移動局２を高速に制御できるため、移動局２における消費電力の低減を図れるという効果が得られる。
【０１０９】
なお、以上の説明では、図２に示したように、ＨＳ−ＳＣＣＨ（ｆａｓｔ）及びＨＳ−ＰＤＳＣＨ（ｆａｓｔ）の各拡散符合として、ＨＳ−ＳＣＣＨ（通常）及びＨＳ−ＰＤＳＣＨ（通常）と同じ拡散符号が用いられている。しかしながら、ＨＳ−ＳＣＣＨ（ｆａｓｔ）及びＨＳ−ＰＤＳＣＨ（ｆａｓｔ）の各拡散符号として、専用の拡散符号を基地局１によって規定し、その専用の拡散符号を移動局２に予め通知しておいてもよい。この場合、専用の拡散符号に対応する受信回路を移動局２に別途設けることにより、移動局２は、ＨＳ−ＳＣＣＨ（通常）及びＨＳ−ＰＤＳＣＨ（通常）ではなくＨＳ−ＳＣＣＨ（ｆａｓｔ）及びＨＳ−ＰＤＳＣＨ（ｆａｓｔ）であることを、より確実に検知することができる。その結果、高い信頼性が必要とされる制御情報の送信をより確実に行えるという効果が得られる。
【０１１０】
また、以上の説明では、ＨＳ−ＰＤＳＣＨ（ｆａｓｔ）の送信ビット数が固定値とされている。しかしながら、ＨＳ−ＳＣＣＨのＣＣＳ部分のRedundant Areaを複数の領域に分割し、ＨＳ−ＰＤＳＣＨ（ｆａｓｔ）の送信ビット数を複数設定して、各領域に割り当ててもよい。さらに、この場合は、ＨＳ−ＳＣＣＨ受信チャネル数制御情報以外の他の制御情報を、ＨＳ−ＳＣＣＨ受信チャネル数制御情報とともにＨＳ−ＰＤＳＣＨ（ｆａｓｔ）によって移動局２に送信し、移動局２を制御するようにしてもよい。
【０１１１】
２．実施の形態２
本発明の実施の形態２に係る通信システムでは、ＨＳ−ＳＣＣＨ受信チャネル数制御情報は、上位層データに多重されて、上位層データが送信されるタイミングと同じタイミングで受信局２に送信される。その際、ＨＳ−ＳＣＣＨ受信チャネル数制御情報と上位層データとは、互いに異なるＨＳ−ＰＤＳＣＨを用いて送信される。
【０１１２】
本実施の形態２に係る基地局１及び移動局２の各装置構成は、それぞれ図６，８に示した構成と同様である。
【０１１３】
図１０は、図１に示した下りリンク５における、ＨＳＤＰＡ対応チャネルの送信タイミングの一例を示すタイミングチャートである。図１０には、ＨＳ−ＰＤＳＣＨ（通常）が送信された後に、符号多重されたＨＳ−ＰＤＳＣＨ（通常）とＨＳ−ＳＣＣＨ（ｆａｓｔ）とが送信されている場合の例が示されている。
【０１１４】
上記実施の形態１と同様に、移動局２は、ＨＳ−ＰＤＳＣＨを受信する前にＨＳ−ＰＤＳＣＨの拡散符号数等を予め分かっている必要があるため、ＨＳ−ＳＣＣＨのpart1領域がＨＳ−ＰＤＳＣＨよりも先に復調されるように、ＨＳ−ＳＣＣＨがＨＳ−ＰＤＳＣＨよりも先行して基地局１から移動局２へ送信されている。
【０１１５】
図１０に示した例によると、第１回目の送信タイミングでは、ＨＳ−ＰＤＳＣＨ（通常）は、拡散符号を５つ用いて、同時に送信されている。第２回目の送信タイミングでは、ＨＳ−ＰＤＳＣＨ（通常）が拡散符号を５つ用いるとともに、ＨＳ−ＰＤＳＣＨ（ｆａｓｔ）が拡散符号を１つだけ用いて、同時に送信されている。
【０１１６】
また、図１０において、ＨＳ−ＳＣＣＨ受信チャネル数制御情報（ＨＳ−ＰＤＳＣＨ（ｆａｓｔ））は、上位層データ（ＨＳ−ＰＤＳＣＨ（通常））とは異なるＨＳ−ＰＤＳＣＨを用いて送信されている。即ち、ＨＳ−ＰＤＳＣＨ（ｆａｓｔ）は、ＨＳ−ＰＤＳＣＨ（通常）の送信のために使用される５つの拡散符号とは異なる拡散符号を用いて送信されている。
【０１１７】
上位層データとＨＳ−ＳＣＣＨ受信チャネル数制御情報とを符号多重によって同一の送信タイミングで送信する場合には、ＨＳ−ＳＣＣＨ（ｆａｓｔ）のＣＣＳの設定方法として、以下の二つの方法が使用可能である。
【０１１８】
一つは、ＨＳ−ＰＤＳＣＨ（通常）用の拡散符号のみをＣＣＳによって明示的に指定し、ＨＳ−ＰＤＳＣＨ（ｆａｓｔ）用の拡散符号はＣＣＳによって指定しない方法である。この場合、暗黙の了解として、例えば、ＨＳ−ＰＤＳＣＨ（通常）用に指定された拡散符号の次の番号の拡散符号が、ＨＳ−ＰＤＳＣＨ（ｆａｓｔ）用の拡散符号として用いられる。即ち、ＨＳ−ＰＤＳＣＨ（通常）に連続しているＨＳ−ＰＤＳＣＨが、ＨＳ−ＰＤＳＣＨ（ｆａｓｔ）として割り当てられる。
【０１１９】
もう一つは、ＨＳ−ＰＤＳＣＨ（通常）用の拡散符号とＨＳ−ＰＤＳＣＨ（ｆａｓｔ）用の拡散符号とを、ともにＣＣＳによって明示的に指定する方法である。この場合、ＨＳ−ＰＤＳＣＨ用の拡散符号は拡散符号数とオフセット位置とによって指定するというＣＣＳの指定方法の制限（図４の（Ａ）参照）があるため、ＨＳ−ＰＤＳＣＨ（通常）用の拡散符号とＨＳ−ＰＤＳＣＨ（ｆａｓｔ）用の拡散符号とは、互いに連続する番号を用いて指定される。
【０１２０】
図１１は、基地局１が有するＨＳＤＰＡ物理層処理ブロック９０４ｂ（図６参照）による、ＨＳ−ＰＤＳＣＨに対する処理フローの一例を示すフローチャートである。図の左側のフローが上位層データに関する送信処理フローであり、右側のフローがＨＳ−ＳＣＣＨ受信チャネル数制御情報に関する送信処理フローである。ＨＳＤＰＡ物理層処理ブロック９０４ｂは、これら２系統の処理を独立に実行する。
【０１２１】
図１１において、「ＰｈＣＨ」は物理層出力チャネル（ＨＳ−ＰＤＳＣＨ）を表している。また、「ＰｈＣＨ＃Ｐ」の「Ｐ」は、ＨＳ−ＰＤＳＣＨ（通常）用の拡散符号数を表しており、「ＰｈＣＨ＃Ｐ＋Ｎ」の「Ｎ」は、ＨＳ−ＰＤＳＣＨ（ｆａｓｔ）用の拡散符号数を表している。図１０に示した例では、Ｐ＝５、Ｎ＝１となる。
【０１２２】
上位層データに関する送信処理フローはリリース５規格によって規定されているフローと全く同じであり、本発明の説明には不要であるので、ここでの説明は省略する。また、ＨＳ−ＳＣＣＨ受信チャネル数制御情報に関する送信処理フローは、最初に入力されるデータが異なるのみで、処理の内容自体はリリース５規格のフローと同じであるので、同様に説明を省略する。
【０１２３】
なお、図１１に示した例では、ＨＳ−ＰＤＳＣＨ（通常）用とＨＳ−ＰＤＳＣＨ（ｆａｓｔ）用とで処理フローが２系統に分けられているが、基地局１の処理能力に余裕がある場合は、１系統の処理回路によって双方の処理を行ってもよい。この場合には、処理回路の規模が小さくて済むという効果が得られる。
【０１２４】
図１２は、図６に示したＭＡＣ−ｈｓ処理部が送信順序を決定するための処理フローの一例を示したフローチャートである。
【０１２５】
まず、ステップＳＰ４１において、ＭＡＣ−ｈｓ処理部は、送信を必要とする上位層からのデータ９１３が存在するか否かを判定する。
【０１２６】
送信を必要とする上位層からのデータ９１３が存在しない場合（即ち、ステップＳＰ４１における判定の結果が「ＮＯ」である場合）はステップＳＰ４２に進み、ＭＡＣ−ｈｓ処理部は、ＭＡＣ−ｈｓ制御部からＨＳ−ＳＣＣＨ受信チャネル数制御情報９１６が入力されているか否かを判定する。
【０１２７】
ＨＳ−ＳＣＣＨ受信チャネル数制御情報９１６が入力されていない場合（即ち、ステップＳＰ４２における判定の結果が「ＮＯ」である場合）はステップＳＰ４４に進み、ＭＡＣ−ｈｓ処理部は、送信が完了しているか否かを判定する。
【０１２８】
ステップＳＰ４２における判定の結果、ＨＳ−ＳＣＣＨ受信チャネル数制御情報９１６が入力されている場合（即ち、ステップＳＰ４２における判定の結果が「ＹＥＳ」である場合）はステップＳＰ４３に進み、ＭＡＣ−ｈｓ処理部は、ＨＳ−ＳＣＣＨ受信チャネル数制御情報９１６をＨＳＤＰＡ物理層処理ブロック９０４ｂへ送る。これにより、ＨＳ−ＰＤＳＣＨ（ｆａｓｔ）が移動局２に送信される。その後、ＭＡＣ−ｈｓ処理部は、ステップＳＰ４４において、送信が完了したか否かの判定を行う。
【０１２９】
ステップＳＰ４１における判定の結果、送信を必要とする上位層からのデータ９１３が存在する場合（即ち、ステップＳＰ４１における判定の結果が「ＹＥＳ」である場合）はステップＳＰ４５に進み、ＭＡＣ−ｈｓ処理部は、ＭＡＣ−ｈｓ制御部からＨＳ−ＳＣＣＨ受信チャネル数制御情報９１６が入力されているか否かを判定する。
【０１３０】
ＨＳ−ＳＣＣＨ受信チャネル数制御情報９１６が入力されていない場合（即ち、ステップＳＰ４５における判定の結果が「ＮＯ」である場合）はステップＳＰ４７に進み、ＭＡＣ−ｈｓ処理部は、上位層からのデータ９１３をＨＳＤＰＡ物理層処理ブロック９０４ｂへ送る。これにより、ＨＳ−ＰＤＳＣＨ（通常）が移動局２に送信される。その後、ＭＡＣ−ｈｓ処理部は、ステップＳＰ４４において、送信が完了したか否かの判定を行う。
【０１３１】
ステップＳＰ４５における判定の結果、ＨＳ−ＳＣＣＨ受信チャネル数制御情報９１６が入力されている場合（即ち、ステップＳＰ４５における判定の結果が「ＹＥＳ」である場合）はステップＳＰ４６に進み、ＭＡＣ−ｈｓ処理部は、上位層からのデータ９１３及びＨＳ−ＳＣＣＨ受信チャネル数制御情報９１６をＨＳＤＰＡ物理層処理ブロック９０４ｂへ送る。これにより、ＨＳ−ＰＤＳＣＨ（通常）及びＨＳ−ＰＤＳＣＨ（ｆａｓｔ）が多重されて移動局２に送信される。その後、ＭＡＣ−ｈｓ処理部は、ステップＳＰ４４において、送信が完了したか否かの判定を行う。
【０１３２】
ステップＳＰ４４における判定の結果、全ての送信が完了していない場合（即ち、ステップＳＰ４４における判定の結果が「ＮＯ」である場合）は、ステップＳＰ４１に戻る。一方、全ての送信が完了している場合（即ち、ステップＳＰ４４における判定の結果が「ＹＥＳ」である場合）は、処理を終了する。
【０１３３】
図１３，１４は、図８に示したＨＳＤＰＡ物理層処理ブロック１０４ｂ及びＭＡＣ−ｈｓ処理ブロック１０３ｂにおける処理フローの一例を示したフローチャートである。
【０１３４】
まず、ステップＳＰ５１においてＨＳ−ＳＣＣＨ１１９が復調された後、ステップＳＰ５２において、ＨＳＤＰＡ物理層処理ブロック１０４ｂは、ＨＳ−ＳＣＣＨ１１９のpart1領域に記述されているＣＣＳ情報が、Redundant Area内のビットの組み合わせであるか否かを判定する。
【０１３５】
ＣＣＳ情報がRedundant Area内のビットの組み合わせである場合（即ち、ステップＳＰ５２における判定の結果が「ＹＥＳ」である場合）はステップＳＰ５３に進み、ＨＳＤＰＡ物理層処理ブロック１０４ｂは、ＨＳ−ＳＣＣＨ１１９内に含まれている各種の情報に従って、ＨＳ−ＰＤＳＣＨ１２０を復調する。
【０１３６】
次に、ステップＳＰ５４において、ＨＳＤＰＡ物理層処理ブロック１０４ｂは、ＨＳ−ＰＤＳＣＨ１２０を正しく復調できたか否かを判定する。
【０１３７】
正しく復調できた場合（即ち、ステップＳＰ５４における判定の結果が「ＹＥＳ」である場合）はステップＳＰ５５に進み、ＨＳＤＰＡ物理層処理ブロック１０４ｂは、上位層データとＨＳ−ＳＣＣＨ受信チャネル数制御情報１１６とを分離する。
【０１３８】
ステップＳＰ５５において分離されたＨＳ−ＳＣＣＨ受信チャネル数制御情報１１６は、ステップＳＰ５６において、ＭＡＣ−ｈｓ層処理ブロック１０３ｂに送られる。また、ＨＳ−ＳＣＣＨ受信チャネル数制御情報１１６は、ＭＡＣ−ｈｓ処理部からＭＡＣ−ｈｓ制御部へ送られる。さらに、ＨＳ−ＳＣＣＨ受信チャネル数制御情報１１６は、ＭＡＣ−ｈｓ制御部からＨＳＤＰＡ物理層処理ブロック１０４ｂに送られる。
【０１３９】
次に、ステップＳＰ５７において、ＨＳＤＰＡ物理層処理ブロック１０４ｂは、ＨＳ−ＳＣＣＨ受信チャネル数制御情報１１６に基づいて、ＨＳ−ＳＣＣＨ受信チャネル数の設定を変更する。
【０１４０】
次に、ステップＳＰ５８において、ＨＳ−ＳＣＣＨ１１９及びＨＳ−ＰＤＳＣＨ１２０の受信が完了したか否かが判定される。
【０１４１】
また、ステップＳＰ５５において分離された上位層データに関しては、ＭＡＣ−ｈｓ層処理ブロック１０３ｂによる処理（ステップＳＰ５９）、及び、ＭＡＣ−ｄ層処理ブロック１０３ａによる処理（ステップＳＰ６０）が、この順に実行される。次に、ステップＳＰ６１において、ＲＬＣ層処理ブロック１２０による処理が行われた後、上位層データが上位のプロトコル層へ送られる。次に、ステップＳＰ５８において、ＨＳ−ＳＣＣＨ１１９及びＨＳ−ＰＤＳＣＨ１２０の受信が完了したか否かが判定される。
【０１４２】
一方、ステップＳＰ５２における判定の結果、ＣＣＳ情報が従来のビットの組み合わせである場合（即ち、ステップＳＰ５２における判定の結果が「ＮＯ」である場合）はステップＳＰ６２に進み、ＨＳＤＰＡ物理層処理ブロック１０４ｂは、ＨＳ−ＳＣＣＨ１１９内に含まれている各種の情報に従って、ＨＳ−ＰＤＳＣＨ１２０を復調する。
【０１４３】
次に、ステップＳＰ６３において、ＨＳＤＰＡ物理層処理ブロック１０４ｂは、ＨＳ−ＰＤＳＣＨ１２０を正しく復調できたか否かを判定する。
【０１４４】
正しく復調できた場合（即ち、ステップＳＰ６３における判定の結果が「ＹＥＳ」である場合）は、ＭＡＣ−ｈｓ層処理ブロック１０３ｂによる処理（ステップＳＰ６４）、及び、ＭＡＣ−ｄ層処理ブロック１０３ａによる処理（ステップＳＰ６５）が、この順に実行される。次に、ステップＳＰ６６において、ＲＬＣ層処理ブロック１０２による処理が行われた後、上位層データが上位のプロトコル層へ送られる。次に、ステップＳＰ５８において、ＨＳ−ＳＣＣＨ１１９及びＨＳ−ＰＤＳＣＨ１２０の受信が完了したか否かが判定される。
【０１４５】
また、ステップＳＰ５４，ＳＰ６３における判定の結果、ＨＳ−ＰＤＳＣＨ１２０を正しく復調できなかった場合（即ち、ステップＳＰ５４，ＳＰ６３における判定の結果が「ＮＯ」である場合）は、ステップＳＰ５１に戻る。
【０１４６】
ステップＳＰ５８における判定の結果、全ての受信が完了していない場合（即ち、ステップＳＰ５８における判定の結果が「ＮＯ」である場合）は、ステップＳＰ５１に戻る。一方、全ての受信が完了している場合（即ち、ステップＳＰ５８における判定の結果が「ＹＥＳ」である場合）は、処理を終了する。
【０１４７】
このように本実施の形態２に係る通信システムによれば、図１０に示したように、ＨＳ−ＳＣＣＨ受信チャネル数制御情報は、上位層データと同じ送信タイミングで送信されている。そのため、上位層データに関して送信タイミングを逸することがないという効果が得られる。
【０１４８】
３．実施の形態３
本発明の実施の形態３に係る通信システムでは、ＨＳ−ＳＣＣＨ受信チャネル数制御情報は、上位層データに多重されて、上位層データが送信されるタイミングと同じタイミングで受信局２に送信される。その際、ＨＳ−ＳＣＣＨ受信チャネル数制御情報と上位層データとは、同一のＨＳ−ＰＤＳＣＨを用いて送信される。
【０１４９】
本実施の形態３に係る基地局１及び移動局２の各装置構成は、それぞれ図６，８に示した構成と同様である。
【０１５０】
図１５は、図１に示した下りリンク５における、ＨＳＤＰＡ対応チャネルの送信タイミングの一例を示すタイミングチャートである。図１５には、ＨＳ−ＰＤＳＣＨ（通常）が送信された後に、ＨＳ−ＰＤＳＣＨ（通常）とＨＳ−ＰＤＳＣＨ（ｆａｓｔ）とが同一パケット内に混合されたＨＳ−ＰＤＳＣＨ（通常＋ｆａｓｔ）と、ＨＳ−ＳＣＣＨ（ｆａｓｔ）とが符号多重されて送信されている場合の例が示されている。
【０１５１】
上記実施の形態１と同様に、移動局２は、ＨＳ−ＰＤＳＣＨを受信する前にＨＳ−ＰＤＳＣＨの拡散符号数等を予め分かっている必要があるため、ＨＳ−ＳＣＣＨのpart1領域がＨＳ−ＰＤＳＣＨよりも先に復調されるように、ＨＳ−ＳＣＣＨがＨＳ−ＰＤＳＣＨよりも先行して基地局１から移動局２へ送信されている。
【０１５２】
図１５に示した例によると、第１回目の送信タイミングでは、ＨＳ−ＰＤＳＣＨ（通常）は、拡散符号を５つ用いて、同時に送信されている。第２回目の送信タイミングでは、ＨＳ−ＰＤＳＣＨ（通常）とＨＳ−ＰＤＳＣＨ（ｆａｓｔ）とが同一パケット内に混合されたＨＳ−ＰＤＳＣＨ（通常＋ｆａｓｔ）が、拡散符号を６つ用いて、同時に送信されている。
【０１５３】
ＨＳ−ＰＤＳＣＨ（通常）と比較すると、ＨＳ−ＰＤＳＣＨ（通常＋ｆａｓｔ）では、ＨＳ−ＳＣＣＨ受信チャネル数制御情報の送信ビット数分だけ、全体の送信ビット数が増加する。従って、ＨＳ−ＳＣＣＨ受信チャネル数制御情報の送信ビット数分を加えた場合の全体の送信ビット数を、予め規定しておく。
【０１５４】
ＨＳ−ＳＣＣＨ（ｆａｓｔ）内に含まれるTansport-block size informationの値としては、ＨＳ−ＳＣＣＨ受信チャネル数制御情報の送信ビット数分を加えた値を別途規定してもよい。あるいは、ＨＳ−ＳＣＣＨ受信チャネル数制御情報の送信ビット数は固定値に設定しておき、Tansport-block size informationの値としては、ＨＳ−ＰＤＳＣＨ（通常）の場合と同じ値としてもよい。
【０１５５】
ＨＳ−ＳＣＣＨ受信チャネル数制御情報の送信ビット数を固定値として設定し、その送信ビット数を予め移動局２に通知しておくことにより、ＨＳ−ＰＤＳＣＨ（通常＋ｆａｓｔ）の送信の度にＨＳ−ＳＣＣＨ受信チャネル数制御情報の送信ビット数を移動局２に通知する必要がなくなる。その結果、基地局１及び移動局２の構成が複雑化することを回避できる。
【０１５６】
図１６は、基地局１が有するＨＳＤＰＡ物理層処理ブロック９０４ｂ（図６参照）による、ＨＳ−ＰＤＳＣＨ（通常＋ｆａｓｔ）に対する処理フローの一例を示すフローチャートである。
【０１５７】
図１６において、「ＰｈＣＨ＃Ｎ」の「Ｎ」は、ＨＳ−ＰＤＳＣＨ（通常＋ｆａｓｔ）用の拡散符号数を表している。図１５に示した例では、Ｎ＝６となる。
【０１５８】
リリース５規格によって規定されている送信処理フローとの相違点は、送信データの入力ステップにおいて、上位層データとＨＳ−ＳＣＣＨ受信チャネル数制御情報とが併せて入力されていることのみである。その他の処理内容はリリース５規格のフローと同じであるので、ここでの説明は省略する。
【０１５９】
なお、図１６に示した例では、上位層データとＨＳ−ＳＣＣＨ受信チャネル数制御情報とは最初の処理ステップにおいて混合されているが、この混合処理は、どの処理ステップにおいて行ってもよい。
【０１６０】
このように本実施の形態３に係る通信システムによれば、図１５に示したように、ＨＳ−ＳＣＣＨ受信チャネル数制御情報は、上位層データと同じ送信タイミングで送信されている。そのため、上位層データに関して送信タイミングを逸することがないという効果が得られる。
【０１６１】
４．実施の形態４
上記実施の形態１に係る通信システムでは、ＨＳ−ＳＣＣＨのＣＣＳ情報をRedundant Area内のビットの組み合わせに設定することによって、ＨＳ−ＳＣＣＨ受信チャネル数制御情報がＨＳ−ＰＤＳＣＨを介して送信されている旨を移動局２に通知している。従って、基地局１は、ＨＳ−ＰＤＳＣＨ（ｆａｓｔ）を送信する場合には、使用する拡散符号のオフセット位置の指示値をこの範囲（１〜８）内で指定する必要がある。
【０１６２】
これに対し、本実施の形態４に係る通信システムでは、ＨＳ−ＳＣＣＨの中にある、ＨＳ−ＰＤＳＣＨの送信データサイズを示すために使用されるＴＢＳ（Transport-block size）部分を、ＨＳ−ＰＤＳＣＨ（ｆａｓｔ）を送信する際に受信局２への通知のために使用する。
【０１６３】
また、ＨＳ−ＰＤＳＣＨ（ｆａｓｔ）の送信データサイズは固定値に設定し、その値は予め移動局２に通知しておく。
【０１６４】
図１７は、ＨＳ−ＳＣＣＨ（通常）及びＨＳ−ＳＣＣＨ（ｆａｓｔ）の作成フローを示す図である。規格書TS25.212に記載されたフローとの差異は、Transport-block size informationの入力ステップにおいて、ＨＳ−ＳＣＣＨ受信チャネル数制御情報がある旨の通知（Fast Signalling Notification）を入力できるようにしていることのみである。
【０１６５】
ＨＳ−ＰＤＳＣＨ（ｆａｓｔ）を送信する際には、ＨＳ−ＳＣＣＨ（ｆａｓｔ）のＴＢＳ部分には、上位層データを送信する際には使用されないビットの組み合わせ（例えば１１１１１１）が設定される。
【０１６６】
このように本実施の形態４に係る通信システムによれば、ＨＳ−ＳＣＣＨ（ｆａｓｔ）のＣＣＳ部分には、ＨＳ−ＳＣＣＨ（通常）と同様に、任意の値を設定できる。そのため、基地局１は、ＨＳ−ＰＤＳＣＨ（ｆａｓｔ）を送信する場合であっても、使用する拡散符号のオフセット位置の指示値を自由な値に設定できるという効果が得られる。
【０１６７】
なお、上記実施の形態１〜４においては、ＨＳ−ＳＣＣＨのＣＣＳ部分やＴＢＳ部分のビット数はそのままで、移動局２の受信系における解釈を変更することにより、ＨＳ−ＳＣＣＨ受信チャネル数制御情報がＨＳ−ＰＤＳＣＨを介して送信されている旨を移動局２に通知しているが、通知専用の別フォーマット（及び各部分へのビット数の割り当て）を新たに追加するようにしてもよい。
【０１６８】
また、通知専用のチャネルを下りリンクに追加し、ＨＳ−ＰＤＳＣＨとペアにして送信するようにしてもよい。このとき、通知専用のチャネルのフォーマットは、ＨＳ−ＳＣＣＨ（通常）と同じ時間長（２ｍｓｅｃ）にし、ＨＳ−ＳＣＣＨのpart1領域を使用することも可能である。これにより、移動局２の受信回路の一部を兼用できるので、移動局２の受信系の回路規模の増大が少なくて済むという効果がある。
【０１６９】
さらに、ＨＳ−ＰＤＳＣＨに制御情報を多重して送信する場合に、通知用に使用するチャネル名は本発明の範囲において各種設定可能であり、上記各実施の形態の記載に限定されない。
【０１７０】
また、上記実施の形態１〜４においては、ＨＳ−ＳＣＣＨ受信チャネル数を制御するための制御情報を基地局１から移動局２に送信しているが、基地局１によって移動局２を制御するための制御情報であって、従来技術においてＲＲＣ層処理を経由して送信されていた制御情報であれば、どのようなものであってもよい。
【０１７１】
例えば、ＨＳ−ＳＣＣＨ受信チャネル数制御情報のような基地局１及び移動局２の双方のＲＲＣ層を介する制御情報ではなく、基地局１のＲＲＣ層から出力されて移動局２のＲＲＣ層を介して移動局２を制御する制御情報（例えば、規格書TS25.214の6A.1章（General procedure）に記載されている制御情報、又は、同規格書の5.1.2.5A章（Setting of the uplink DPCCH/HS-DPCCH power difference）に記載されている制御情報）等でもよい。この場合には、基地局の装置構成を示したブロック図（図６）において、ＨＳ−ＳＣＣＨ受信チャネル数制御情報９１６がＭＡＣ−ｈｓ制御部からＭＡＣ−ｈｓ処理部へ送られる代わりに、移動局２を制御するための制御情報は、ＲＲＣ層処理ブロック９０１から、ＲＲＣ層処理ブロック９０１とＭＡＣ−ｈｓ層処理ブロック９０３ｂとを結ぶControl線を介して、ＭＡＣ−ｈｓ制御部へ送られ、さらに、ＭＡＣ−ｈｓ制御部からＭＡＣ−ｈｓ処理部へ制御信号９１６として送られ、その後は上記と同様の処理が実行される。移動局２は、上記実施の形態１〜４で説明した動作と同様の動作を行う。
【０１７２】
さらに、上記実施の形態１〜４においては、基地局１及び移動局２の各ＲＲＣ層による処理を経由しない伝達方法によって、ＨＳ−ＳＣＣＨ受信チャネル数制御情報が基地局１から移動局２に伝達されているが、本発明による伝達方法と、基地局１及び移動局２の各ＲＲＣ層による処理を経由した従来の伝達方法とを兼用してもよい。例えば、ＨＳＤＰＡの最初の設定時には、従来の伝達方法によって、デフォルト値又は最大値としてのＨＳ−ＳＣＣＨ受信チャネル数を移動局２に設定し、その後の通信時には、本発明による伝達方法によって、ＨＳ−ＳＣＣＨ受信チャネル数の設定を変更してもよい。または、両伝達方法によって設定変更がされる場合には、本発明の伝達方法による値を移動局２で上書きして設定してもよい。
【０１７３】
また、上記実施の形態１〜４において、ＨＳ−ＳＣＣＨ受信チャネル数制御情報には、チャネル番号やチャネル数だけでなく、どのタイミングからチャネル数を変更するかといった、関連する情報を付加することも可能である。
【０１７４】
この発明は詳細に説明されたが、上記した説明は、すべての局面において、例示であって、この発明がそれに限定されるものではない。例示されていない無数の変形例が、この発明の範囲から外れることなく想定され得るものと解される。
【図面の簡単な説明】
【０１７５】
【図１】本発明の実施の形態１に係る通信システムの全体構成を模式的に示す図である。
【図２】本発明の実施の形態１に係る通信システムに関し、ＨＳＤＰＡ対応チャネルの送信タイミングの一例を示すタイミングチャートである。
【図３】本発明の実施の形態１に係る通信システムに関し、ＨＳ−ＰＤＳＣＨ（ｆａｓｔ）のフォーマットの一例を示す図である。
【図４】本発明の実施の形態１に係る通信システムに関し、ＨＳ−ＳＣＣＨ受信チャネル数制御情報がＨＳ−ＰＤＳＣＨ（ｆａｓｔ）を用いて送信されていることを移動局に通知するための方法の一例を示す図である。
【図５】本発明の実施の形態１に係る通信システムに関し、ＨＳ−ＳＣＣＨ（通常）及びＨＳ−ＳＣＣＨ（ｆａｓｔ）の作成フローを示す図である。
【図６】本発明の実施の形態１に係る通信システムに関し、基地局の装置構成を示すブロック図である。
【図７】本発明の実施の形態１に係る通信システムに関し、ＭＡＣ−ｈｓ処理部が送信順序を決定するための処理フローの一例を示したフローチャートである。
【図８】本発明の実施の形態１に係る通信システムに関し、移動局の装置構成を示すブロック図である。
【図９】本発明の実施の形態１に係る通信システムに関し、ＨＳＤＰＡ物理層処理ブロック及びＭＡＣ−ｈｓ処理ブロックにおける処理フローの一例を示したフローチャートである。
【図１０】本発明の実施の形態２に係る通信システムに関し、ＨＳＤＰＡ対応チャネルの送信タイミングの一例を示すタイミングチャートである。
【図１１】本発明の実施の形態２に係る通信システムに関し、ＨＳＤＰＡ物理層処理ブロックによる、ＨＳ−ＰＤＳＣＨに対する処理フローの一例を示すフローチャートである。
【図１２】本発明の実施の形態２に係る通信システムに関し、ＭＡＣ−ｈｓ処理部が送信順序を決定するための処理フローの一例を示したフローチャートである。
【図１３】本発明の実施の形態２に係る通信システムに関し、ＨＳＤＰＡ物理層処理ブロック及びＭＡＣ−ｈｓ処理ブロックにおける処理フローの一例を示したフローチャートである。
【図１４】本発明の実施の形態２に係る通信システムに関し、ＨＳＤＰＡ物理層処理ブロック及びＭＡＣ−ｈｓ処理ブロックにおける処理フローの一例を示したフローチャートである。
【図１５】本発明の実施の形態３に係る通信システムに関し、ＨＳＤＰＡ対応チャネルの送信タイミングの一例を示すタイミングチャートである。
【図１６】本発明の実施の形態３に係る通信システムに関し、ＨＳＤＰＡ物理層処理ブロックによる、ＨＳ−ＰＤＳＣＨ（通常＋ｆａｓｔ）に対する処理フローの一例を示すフローチャートである。
【図１７】本発明の実施の形態４に係る通信システムに関し、ＨＳ−ＳＣＣＨ（通常）及びＨＳ−ＳＣＣＨ（ｆａｓｔ）の作成フローを示す図である。
【国際調査報告】
2005002269.tif 000020
2005002269.tif 000021
2005002269.tif 000022
2005002269.tif 000023